(57)【要約】  三次元空間を通して所定の仕方で移動する放射手段を備え、送信信号にサイクリックなドップラーが重畳されるようにし、三次元空間を通して所定の仕方で移動する受信手段を通して前記送信信号を受信し、その受信信号にサイクリックなドップラーが重畳されるようにし、前記受信したサイクリックなドップラーを解釈することで前記放射手段に対する前記受信手段の相対的移動を分析し、そして前記解釈されたドップラーに基づいて姿勢を決定する姿勢システム。或いは又、三次元空間における受信手段の移動を調整して、受信信号に重畳されるサイクリックなドップラーを最小にし、そして受信手段及び放射手段を整列状態にもっていくに必要な調整に基づいて姿勢を決定する。
2007501382.tif 000002
【特許請求の範囲】
【請求項１】
姿勢を決定する方法において、
ａ）三次元ドップラーシグネチャーで変調された信号を送信するステップと、
ｂ）相補的な三次元ドップラーシグネチャーで受信手段を変調するステップと、
ｃ）受信信号を解釈して前記受信手段の姿勢を決定するステップと、
を備えた方法。
【請求項２】
姿勢を決定する方法において、
ａ）三次元空間を通して所定の仕方で移動する放射手段を通して信号を送信し、その送信信号にサイクリックなドップラーが重畳されるようにするステップと、
ｂ）三次元空間を通して所定の仕方で移動する受信手段を通して前記送信信号を受信し、その受信信号にサイクリックなドップラーが重畳されるようにするステップと、
ｃ）前記受信信号に重畳された前記サイクリックなドップラーを解釈することで前記放射手段に対する前記受信手段の相対的移動を分析するステップと、
ｄ）前記解釈された前記サイクリックなドップラーに基づいて前記受信手段の姿勢を決定するステップと、
を備えた方法。
【請求項３】
姿勢を決定する方法において、
ａ）三次元空間を通して所定の仕方で移動する放射手段を通して信号を送信し、その送信信号にサイクリックなドップラーが重畳されるようにするステップと、
ｂ）三次元空間を通して所定の仕方で移動する受信手段で前記送信信号を受信して、その受信信号にサイクリックなドップラーが重畳されるようにするステップと、
ｃ）前記受信信号に重畳された前記サイクリックなドップラーを所定値へともっていくように前記受信手段の移動を調整するステップと、
ｄ）必要とされる調整に基づいて前記受信手段の姿勢を決定するステップと、
を備えた方法。
【請求項４】
前記ステップｃ）の前記所定値は最小値である、請求項３に記載の方法。
【請求項５】
前記ステップｂ）の前記受信手段の前記所定の移動は、前記ステップａ）の前記放射手段の前記所定の移動の複写である、請求項３に記載の方法。
【請求項６】
姿勢を決定する方法において、
ａ）既知の姿勢で三次元空間を通して所定の仕方で移動する放射手段を通して信号を送信し、その送信信号にサイクリックなドップラーが重畳されるようにするステップと、
ｂ）三次元空間を通して所定の仕方で移動する受信手段で前記送信信号を受信して、その受信信号にサイクリックなドップラーが重畳されるようにするステップと、
ｃ）前記受信信号に重畳された前記サイクリックなドップラーを分析して、ドップラーパターンを決定するステップと、
ｄ）前記放射手段及び前記受信手段の既知の相対的姿勢に関連した予め定められたドップラーパターンに前記決定されたドップラーパターンを一致させることにより前記受信手段の姿勢を決定するステップと、
を備えた方法。
【請求項７】
第１受信手段及び第２受信手段で構成されたユーザ受信器において姿勢を決定する方法であって、
ａ）三次元空間を通して所定の仕方で移動する放射手段を通して信号を送信し、その送信信号にサイクリックなドップラーが重畳されるようにするステップと、
ｂ）三次元空間を通して所定の仕方で移動する前記第１受信手段で前記送信信号を受信して、その受信信号に第１のサイクリックなドップラーが重畳されるようにするステップと、
ｃ）三次元空間を通して所定の仕方で移動し且つ前記第１受信手段に対して角度的に進んでいる前記第２受信手段で前記送信信号を受信して、その受信信号に第２のサイクリックなドップラーが重畳されるようにするステップと、
ｄ）前記第１のサイクリックなドップラーと前記第２のサイクリックなドップラーとの差をとって、ドップラー差を決定するステップと、
ｅ）前記ドップラー差を最小にするように前記第１受信手段及び前記第２受信手段の移動を調整するステップと、
ｆ）必要とされる調整に基づいて前記ユーザ受信器の姿勢を決定するステップと、
を備えた方法。
【請求項８】
第１受信手段、第２受信手段及び第３受信手段で構成されたユーザ受信器において姿勢を決定する方法であって、
ａ）三次元空間を通して所定の仕方で移動する放射手段を通して信号を送信し、その送信信号にサイクリックなドップラーが重畳されるようにするステップと、
ｂ）三次元空間を通して所定の仕方で移動する前記第１受信手段で前記送信信号を受信して、その受信信号に第１のサイクリックなドップラーが重畳されるようにするステップと、
ｃ）三次元空間を通して所定の仕方で移動し且つ前記第１受信手段に対して角度的に進んでいる前記第２受信手段で前記送信信号を受信して、その受信信号に第２のサイクリックなドップラーが重畳されるようにするステップと、
ｄ）三次元空間を通して所定の仕方で移動し且つ前記第２受信手段に対して角度的に進んでいる前記第３受信手段で前記送信信号を受信して、その受信信号に第３のサイクリックなドップラーが重畳されるようにするステップと、
ｅ）前記第１のサイクリックなドップラーと前記第３のサイクリックなドップラーとの差をとって、ドップラー差を決定するステップと、
ｆ）前記ドップラー差を最小にするように前記第１受信手段及び前記第３受信手段の移動を調整するステップと、
ｇ）前記第２のサイクリックなドップラーを最小にするように前記第２受信手段の移動を調整するステップと、
ｈ）前記ステップｆ）及びｇ）で必要とされる調整に基づいて前記ユーザ受信器の姿勢を決定するステップと、
を備えた方法。
【請求項９】
姿勢決定システムの姿勢計算における多経路で乱れたドップラー測定の作用を識別しそしてその後に減少する方法において、
ａ）指定の周期で三次元空間を通して所定の仕方で移動する放射手段を通して信号を送信し、その送信信号にサイクリックなドップラーが重畳されるようにするステップと、
ｂ）三次元空間を通して所定の仕方で移動する受信手段で前記送信信号を受信して、その受信信号にサイクリックなドップラーが重畳されるようにするステップと、
ｃ）前記受信信号の瞬時信号強度を測定するステップと、
ｄ）前記ステップｃ）の測定値を各々の前記指定の周期にわたって累積し、そしてその累積された測定値を処理して、基準信号強度を決定するステップと、
ｅ）前記決定された基準信号強度を次の瞬時信号強度測定値と比較して、信号強度スレッシュホールドより低い前記受信信号を識別するステップと、
ｆ）信号強度スレッシュホールドより低い前記受信信号の使用を前記姿勢計算から排除し又は減少するステップと、
を備えた方法。
【請求項１０】
第１受信手段及び第２受信手段で構成されたユーザ受信器において姿勢を決定する方法であって、
ａ）三次元空間を通して所定の仕方で移動する放射手段を通して第１信号を送信し、その第１送信信号にサイクリックなドップラーが重畳されるようにするステップと、
ｂ）三次元空間を通して所定の仕方で移動する第２放射手段を通して第２信号を送信するステップであって、前記第２信号は、前記第１送信信号から角度的にオフセットされたもので、その第２送信信号にサイクリックなドップラーが重畳されるようにするステップと、
ｃ）三次元空間を通して所定の仕方で移動する前記第１受信手段で前記第１送信信号を受信して、その第１受信信号に第１のサイクリックなドップラーが重畳されるようにするステップと、
ｄ）三次元空間を通して所定の仕方で移動する前記第２受信手段で前記第２送信信号を受信するステップであって、前記第２受信手段は、前記第１受信手段から角度的にオフセットされたもので、その第２受信信号に第２のサイクリックなドップラーが重畳されるようにするステップと、
ｅ）前記第１のサイクリックなドップラーと前記第２のサイクリックなドップラーとの差をとって、ドップラー差を決定するステップと、
ｆ）前記ドップラー差を最小にするように前記第１受信手段及び前記第２受信手段の移動を調整するステップと、
ｇ）必要とされる調整に基づいて前記ユーザ受信器の姿勢を決定するステップと、
を備えた方法。
【請求項１１】
姿勢を決定する方法において、
ａ）少なくとも１つ以上の放射手段で構成された複数の空間的に分布された送信手段から複数の信号を送信するステップであって、前記放射手段は、同一の予め定められた動きで三次元空間を通して移動するように構成され、前記複数の信号の各々が前記放射手段の１つに指定されて、各送信信号に同一のサイクリックなドップラーが重畳されるようにするステップと、
ｂ）三次元空間を通して所定の仕方で移動する受信手段で前記複数の送信信号を受信して、その受信信号にサイクリックなドップラーが重畳されるようにするステップと、
ｃ）前記受信信号に重畳された前記サイクリックなドップラーを所定値へもっていくように前記受信手段の移動を調整するステップと、
ｄ）必要とされる調整に基づいて前記受信手段の姿勢を決定するステップと、
を備えた方法。
【請求項１２】
受信器搬送波追跡ループを使用せずに姿勢を決定する方法において、
ａ）三次元空間を通して所定の仕方で移動する放射手段を通して信号を送信し、その送信信号にサイクリックなドップラーが重畳されるようにするステップと、
ｂ）三次元空間を通して所定の仕方で移動する受信手段で前記送信信号を受信し、その受信信号にサイクリックなドップラーが重畳されるようにするステップと、
ｃ）前記受信信号の瞬時位相からドップラー測定値を導出するステップと、
ｄ）前記導出されたドップラーを所定値にもっていくように前記受信手段の移動を調整するステップと、
ｅ）必要とされる調整に基づいて前記受信手段の姿勢を決定するステップと、
を備えた方法。
【請求項１３】
三次元合成位相中心の移動を表わす信号を生成するための方法において、
ａ）複数の空間的に分布されたアンテナ素子を配備するステップであって、各アンテナ素子は、可変利得手段に接続され、その各可変利得手段は、制御手段に応答し、そして全ての前記可変利得手段が共通の送信又は受信手段に接続されるようなステップと、
ｂ）信号を送信又は受信しながらアンテナ素子間の利得分布を変更するように前記制御手段を調整するステップであって、前記送信又は受信信号の位相中心が三次元的に物理的に変位されるようにするステップと、
を備えた方法。
【請求項１４】
三次元合成位相中心の移動を表わす信号を生成するための装置において、複数の空間的に分布されたアンテナ素子を備え、各アンテナ素子は、可変利得手段に接続され、各々の前記可変利得手段は、制御手段に応答し、そして全ての前記可変利得手段が共通の送信又は受信手段に接続されるような装置。
【請求項１５】
第１受信手段及び第２受信手段で構成されたユーザ受信器において姿勢を決定する方法であって、
ａ）三次元空間を通して所定の仕方で移動する第１放射手段を通して第１信号を送信し、その第１送信信号にサイクリックなドップラーが重畳されるようにするステップと、
ｂ）前記第１放射手段に接近した静的な放射手段を通して、前記第１送信信号と時間順に同期する第２信号を送信するステップと、
ｃ）三次元空間を通して所定の仕方で移動する前記第１受信手段で前記第１送信信号を受信し、その第１受信信号にサイクリックなドップラーが重畳されるようにするステップと、
ｄ）前記第１受信手段に接近した前記第２受信手段で第２送信信号を受信するステップと、
ｅ）前記第１受信手段及び前記第２受信手段で受信した信号のドップラーを測定し、そして前記ドップラー測定値の差をとって、ドップラー差を決定するステップと、
ｆ）前記ドップラー差を最小にするように前記第１受信手段の移動を調整するステップと、
ｇ）必要とする調整に基づいて前記ユーザ受信器の姿勢を決定するステップと、
を備えた方法。
【請求項１６】
慣性ナビゲーションシステム（ＩＮＳ）で構成されたユーザ受信器において姿勢を決定するための方法であって、
ａ）三次元空間を通して所定の仕方で移動する放射手段を通して信号を送信し、その送信信号にサイクリックなドップラーが重畳されるようにするステップと、
ｂ）三次元空間を通して所定の仕方で移動する受信手段で前記送信信号を受信し、その受信信号にサイクリックなドップラーが重畳されるようにするステップと、
ｃ）前記慣性ナビゲーションシステム（ＩＮＳ）から前記ユーザ受信器の移動ドップラーを決定するステップと、
ｄ）前記受信信号に重畳された前記サイクリックなドップラーと、前記慣性ナビゲーションシステム（ＩＮＳ）からの前記ユーザ受信器の移動ドップラーとの差をとって、ドップラー差を決定するステップと、
ｅ）前記ドップラー差を最小にするように前記受信手段の移動を調整するステップと、
ｆ）必要とする調整に基づいて前記ユーザ受信器の姿勢を決定するステップと、
を備えた方法。
【請求項１７】
姿勢を決定する方法において、
ａ）三次元空間を通して所定の仕方で移動する放射手段を通して信号を送信し、その送信信号にサイクリックなドップラーが重畳されるようにするステップと、
ｂ）三次元空間を通して所定の仕方で移動する受信手段を通して前記送信信号を受信し、その受信信号にサイクリックなドップラーが重畳されるようにするステップと、
ｃ）前記受信信号をフィルタリングして、低周波数のユーザ移動ドップラーを除去し、ひいては、残留サイクリックなドップラーを確立するステップと、
ｄ）前記確立された残留サイクリックなドップラーを所定値へもっていくように前記受信手段の移動を調整するステップと、
ｅ）必要とする調整に基づいて前記ユーザ受信器の姿勢を決定するステップと、
を備えた方法。
【請求項１８】
第１受信手段及び第２受信手段で構成されたユーザ受信器内の姿勢計算手段により使用される信号における多経路乱れの影響を識別しそしてその後に減少する方法において、
ａ）三次元空間を通して所定の仕方で移動する第１放射手段を通して第１信号を送信し、その第１送信信号にサイクリックなドップラーが重畳されるようにするステップと、
ｂ）三次元空間を通して所定の仕方で移動する第２放射手段を通して第２信号を送信するステップであって、前記第２信号は、前記第１送信信号から角度的にオフセットされたもので、その第２送信信号にサイクリックなドップラーが重畳されるようにするステップと、
ｃ）三次元空間を通して所定の仕方で移動する前記第１受信手段で前記第１送信信号を受信して、その第１受信信号にサイクリックなドップラーが重畳されるようにするステップと、
ｄ）三次元空間を通して所定の仕方で移動する前記第２受信手段で前記第２送信信号を受信するステップであって、前記第２受信手段は、前記第１受信手段から角度的にオフセットされたもので、その第２受信信号にサイクリックなドップラーが重畳されるようにするステップと、
ｅ）前記第１受信信号の瞬時信号強度を測定するステップと、
ｆ）前記第２受信信号の瞬時信号強度を測定するステップと、
ｇ）前記ステップｅ）及びｆ）で得られた測定値を処理して、多経路で乱れた信号を指示する低い信号強度レベルを決定するステップと、
ｈ）前記ステップｇ）で決定されたレベルより強い信号を優先的に使用するように前記姿勢計算手段を構成するステップと、
を備えた方法。
【発明の詳細な説明】
【技術分野】
【０００１】
本発明は、一般に、移動装置に対して正確な姿勢決定を生じさせるシステム及び方法に係る。より詳細には、本発明は、空間的に変調された信号の相関を使用して絶対的姿勢決定を許す空間的変調システムに適用される。
【背景技術】
【０００２】
姿勢とは、三次元空間内で基準フレームに対するユーザプラットホームの傾斜として定義することができる。姿勢決定に慣習的に使用されている技術は、２つのグループに分類することができる。その第１グループは、基準に対する絶対的姿勢測定を与える。この種の技術は、例えば、磁界センサ、光学的追跡装置及び星センサである。第２グループは、姿勢の変化の測定しか与えることができない。例えば、ジャイロスコープ（機械的、ＭＥＭＳ、リングレーザ及び光ファイバ）や、角加速度計である。集合的に、この第２グループの装置は、慣性装置として知られている。慣性装置を使用する用途では、初期姿勢を知ることが必要である。これは、通常、第１グループからの技術を使用して達成される。その用途にとって初期姿勢が得られるときだけ、その後に第２グループにより行われる測定から絶対的姿勢を決定することができる。
【０００３】
不都合なことに、各グループからの装置を使用する場合に多数の問題が生じる。慣性装置から導出される計算された姿勢は、角度的割合の測定エラーが蓄積するために時間と共に連続的にドリフトすることで悩まされており、それ故、慣性システムは、それを有効とすべき場合には、基準に対して頻繁に再整列させねばならない。光学的追跡装置の動作は、正常な動作のために遮られてはならないセンサの視野により制限される。星のパターン認識を伴う星センサは、地球をベースとするシステムに対して雲のない夜にしか動作できないという制約が付加される。磁界センサを使用して向きを決定することは、基準磁界の完全性に依存する。この磁界は、例えば、大きな鉄の物体が磁界センサ付近にあることでしばしば歪まされ、広い工業地帯、工場及び倉庫のような環境ではその性能を不満足なものにする。
【０００４】
上述した姿勢決定の慣習的方法とは別に、グローバルポジショニングシステム（ＧＰＳ）受信器により使用される搬送波位相ポジショニング技術の拡張がある。搬送波位相ポジショニングは、ユーザの受信器が移動（揺動、位置変動）しているときに、受信したポジショニング信号に誘起されるドップラーを決定することにより位置を決定する。ユーザ受信器は、これらのドップラー測定値を時間と共に累積し、それにより、累積ドップラーとしてこの技術で知られている非常に正確なレンジ切り換え測定値又は積分搬送波位相（ＩＣＰ）測定値を発生する。この積分搬送波位相（ＩＣＰ）測定値は、ユーザ受信器により処理されて、既知の位置にある複数の衛星から正確なレンジ切り換え測定値を導出し、次いで、これを使用して、既知の初期位置に対する正確な位置を決定することができる。この初期位置は、一般に、各衛星から送信される搬送波信号上に変調されるコードベースの擬似レンジ測定値から導出される。コードベースの擬似レンジは本来精度がないので、この初期スタート位置を決定するときにはサイクルのあいまいさが残る。このサイクルのあいまいさは、高精度のポジショニングを実行できる以前に、良く知られた技術を使用して解決しなければならない。搬送波位相ポジショニングシステムは、正確な位置決定に充分作用するが、姿勢を決定するための固有の手段を有していない。
【０００５】
従来のシステムは、この制約を克服するよう試みている。特に、コーエン氏の米国特許第５，５４８，２９３号は、移動プラットホームに複数のＧＰＳ受信器を空間的に分布させ、そして視野内の全てのＧＰＳ衛星から搬送波位相レンジ測定値を同時に収集することにより姿勢を決定するような搬送波位相ベースのポジショニングシステムを開示している。その後、搬送波位相レンジ差がＧＰＳ受信器間で計算されて、ユーザプラットホームの姿勢を決定する。コーエン氏の方法は、多数の搬送波位相ＧＰＳ受信器を必要とするために複雑で且つコストがかかるだけでなく、姿勢を決定できる前に整数サイクルのあいまいさを解決することも必要である。更に、ＧＰＳ信号の使用は、複数のＧＰＳ受信器が常時衛星のクリアな視野内にあることを必要とし、従って、屋内のような衛星をさえぎる環境で動作するシステムの能力を排除する。更に、多経路として知られているポジショニング信号の反射は、各衛星からのレンジ測定の精度を低下させ、ひいては、コーエン氏の方法を使用するときに姿勢の決定を悪化させる。
【発明の開示】
【発明が解決しようとする課題】
【０００６】
従って、（ａ）基準磁界の完全性、（ｂ）遮られずに星が見えること、（ｃ）光学的測定のための視線、（ｄ）連続的な再初期化、（ｅ）グローバルナビゲーションサテライトシステム（ＧＮＳＳ）の遮られない視野、（ｆ）ユーザプラットホームにわたって分布された多数のポジショニング受信器、又は（ｇ）搬送波サイクル整数あいまいさ解決の必要性、を要求しない健全な絶対的姿勢決定システムが明らかに要望される。これらの制約を伴わずに動作するシステムが非常に望ましい。本発明は、三次元空間的シグネチャーで変調された信号を送信し、相補的な三次元空間的シグネチャーで受信手段を変調し、そして受信信号を解釈して姿勢を決定することにより、この望ましい目標を達成する。このシステム及び方法は、以下、空間的シフトキー（ＳＳＫ）変調と称され、以下に詳細に説明する。
【課題を解決するための手段】
【０００７】
本発明の目的は、三次元ドップラーシグネチャーで変調された信号を送信し、相補的な三次元ドップラーシグネチャーで受信手段を変調し、そして受信信号を解釈して姿勢を決定することによる姿勢決定システムを提供することである。
【０００８】
本発明の更に別の目的は、三次元ドップラーシグネチャーで変調された送信信号と、相補的な三次元ドップラーシグネチャーで変調された受信手段との空間的な相関を利用して姿勢決定システムを提供することである。
【０００９】
本発明の更に別の目的は、送信される空間的に変調されたドップラーシグネチャーと、複写の空間的に変調されたドップラーシグネチャーで変調された受信手段との空間的な相関を利用した姿勢決定システムを提供することである。
【００１０】
本発明の更に別の目的は、三次元ドップラーシグネチャーで変調される受信アンテナで構成されたユーザ受信器のための姿勢決定システムであって、前記ユーザ受信器が、更に、早い及び遅い追跡アーム、或いは早い、迅速な及び遅い追跡アームの組み合せを使用して、三次元ドップラーシグネチャーで変調された送信信号との空間的コヒレンス性を維持するような姿勢決定システムを提供することである。
【００１１】
本発明の更に別の目的は、ドップラーパターン認識アルゴリズムを使用して、三次元ドップラーシグネチャーで変調された受信アンテナの姿勢を、三次元ドップラーシグネチャーで変調された送信信号に対して検出する姿勢決定システムを提供することである。
【００１２】
本発明の更に別の目的は、多経路により乱された信号の悪影響を識別しそしてその後に軽減することのできる姿勢決定システムを提供することである。
【００１３】
本発明の更に別の目的は、送信信号又は受信信号のいずれかに三次元位相中心の移動を生じさせるアンテナアレーを提供することである。
【００１４】
本発明の更に別の目的は、三次元ドップラーシグネチャーで変調された信号の正確な発生を与え、しかも、最小限の物理的アンテナ素子しか必要としない空間的変調のための電子手段を提供することである。
【００１５】
本発明の更に別の目的は、ユーザ受信器が姿勢の決定に搬送波追跡ループの使用を必要としない姿勢決定システムを提供することである。
【００１６】
本発明の更に別の目的は、ユーザ移動及びユーザ受信器のクロックドリフトをドップラー測定から除去する姿勢決定システムを提供することである。
【００１７】
本発明の更に別の目的は、搬送波サイクル整数あいまいさの解決を実行する必要のない姿勢決定システムを提供することである。
【００１８】
本発明の更に別の目的は、姿勢を決定するのに単一のユーザ受信器しか必要としない姿勢決定システムを提供することである。
【００１９】
本発明の前記目的は、三次元空間を通して予め決定されたように移動する放射手段を経て信号を送信して、サイクリックなドップラーが送信信号に重畳されるようにし、三次元空間を通して予め決定されたように移動する受信手段を経てこの送信信号を受信して、サイクリックなドップラーが受信信号に重畳されるようにし、三次元空間における受信手段の移動を調整して、前記重畳されるサイクリックなドップラーが受信信号において最小となるようにし、そして前記受信手段及び放射手段を整列状態にさせるに必要な調整に基づいて姿勢を決定することにより達成される。
【００２０】
或いは又、本発明の前記目的は、三次元空間を通して予め決定されたように移動する放射手段を経て信号を送信して、サイクリックなドップラーが送信信号に重畳されるようにし、三次元空間を通して予め決定されたように移動する受信手段を経てこの送信信号を受信して、サイクリックなドップラーが受信信号に重畳されるようにし、受信したサイクリックなドップラーを解釈することで放射手段に対する受信手段の移動を分析し、そしてその解釈したドップラーに基づいて姿勢を決定することにより達成される。
【００２１】
本発明は、いわゆる空間的シフトキー送信（ＳＳＫ−Ｔ）変調シグネチャーを、いわゆる空間的シフトキー受信（ＳＳＫ−Ｒ）変調シグネチャーと相関させることにより姿勢を決定するシステム及び方法を開示する。空間的シフトキー送信（ＳＳＫ−Ｔ）変調シグネチャーは、三次元空間における放射手段の移動により発生され、所定のドップラーシグネチャーがオリジナルの送信信号に重畳されるようにする。空間的シフトキー受信（ＳＳＫ−Ｒ）変調シグネチャーは、三次元空間における受信手段の移動により達成され、所定のドップラーシグネチャーが受信信号に重畳されるようにする。本明細書において「ドップラー」及び「ドップラーシグネチャー」という語は、送信ソース及び受信器の相対的移動から生じる波における見掛け上の周波数変化の良く理解された概念を包含する。しかしながら、本明細書で使用する「ドップラー」及び「ドップラーシグネチャー」という語は、更に、送信手段と受信手段の相対的移動により生じる受信位相、周波数又は積分搬送波位相（ＩＣＰ）の見かけ上の変化も含む。空間的シフトキー送信（ＳＳＫ−Ｔ）変調シグネチャーと空間的シフトキー受信（ＳＳＫ−Ｒ）変調シグネチャーとの相関の結果、放射手段と受信手段が空間的に整列される。この整列は、以下、「空間的相関」又は「空間的同期」と称される。これらの新規な用語、即ち「ドップラーシグネチャー」、「空間的相関」、及び「空間的同期」の特徴、特性及び適用は、以下に詳細に述べる。
【００２２】
本発明を使用することにより、放射手段の姿勢が前もって知られた状態で、受信手段の姿勢を正確に決定することができる。
【発明を実施するための最良の形態】
【００２３】
概要
空間的シフトキー送信（ＳＳＫ−Ｔ）シグネチャーを、局部的に発生された空間的シフトキー受信（ＳＳＫ−Ｒ）シグネチャーと空間的に相関することにより受信器の姿勢を決定するシステム及び方法が開示される。送信器は、空間を通して予め定められた動きでその位相中心を移動させる空間的シフトキー送信（ＳＳＫ−Ｔ）アンテナを通してポジショニング信号を発生するように構成される。この予め定められた動きは、所定のインターバルで繰り返され、送信ポジショニング信号に所定のサイクリックなドップラーパターンを誘起させる。この所定のインターバルは、「シグネチャー周期」と称され、所定のサイクリックなドップラーパターンは、「ドップラーシグネチャー」と称される。ユーザの受信器は、空間的シフトキー受信（ＳＳＫ−Ｒ）アンテナを通してドップラー変更ポジショニング信号を受信するように構成され、このアンテナも、空間的シフトキー送信（ＳＳＫ−Ｔ）アンテナと同じ予め定められた動きで空間を通してその位相の中心を移動させ、同じ所定のインターバルで移動を繰り返す。それ故、空間的シフトキー受信（ＳＳＫ−Ｒ）アンテナは、既にドップラー変更された送信ポジショニング信号に第２のサイクリックなドップラー成分を誘起させる。ユーザ受信器内のアンテナ同期制御手段は、受信ポジショニング信号の測定されたドップラーをゼロに向かって押しやることにより送信ドップラーシグネチャーに一致するように空間的シフトキー受信（ＳＳＫ−Ｒ）アンテナの予め定められた動きの周波数及び位相を連続的に調整する。受信ドップラーが最小にされると、空間的シフトキー送信（ＳＳＫ−Ｔ）アンテナ及び空間的シフトキー受信（ＳＳＫ−Ｒ）アンテナが一緒に移動し、それらは、ユーザ受信器により空間的に相関されたと宣言される。これで、空間的シフトキー受信（ＳＳＫ−Ｒ）アンテナの姿勢は、空間的シフトキー送信（ＳＳＫ−Ｔ）アンテナの姿勢に対して、それらのアンテナを空間的に相関させるに必要なアンテナ同期制御手段のオフセットを測定することで、正確に決定することができる。
【００２４】
空間的シフトキー送信（ＳＳＫ−Ｔ）アンテナがその位相中心を予め定められた動きで空間を通して移動させ、そして空間的シフトキー受信（ＳＳＫ−Ｒ）アンテナが同一の予め定められた動きを同じ所定のインターバルで生じるときには、周期性についてのこの同一の動きを、空間的同期又は空間的相関と称する。本明細書において、同期という語は、時間的な一致の概念を単に指すだけではないことを理解するのが重要である。本明細書で使用する空間的同期は、時間及び空間の両方におけるアンテナ移動の同一周期を包含する。
【００２５】
空間的シフトキー（ＳＳＫ）変調シグネチャーは、多数の異なる媒体を使用して発生することができる。例えば、人間の可聴スペクトルの音波、超音波、赤外線及び無線波の全部を使用することができる。本発明の好ましい実施形態では、高周波（ＲＦ）が好ましい媒体である。それ故、本発明の好ましい実施形態では、送信アンテナの位相中心を三次元空間において移動して、所定の位相、周波数、積分搬送波位相、又はドップラーシグネチャーがオリジナルの送信高周波（ＲＦ）信号に重畳されるようにすることで、空間的シフトキー送信（ＳＳＫ−Ｔ）変調が達成される。又、受信アンテナの位相中心を三次元空間において移動して、所定の位相、周波数、積分搬送波位相、又はドップラーシグネチャーが受信高周波（ＲＦ）信号に重畳されるようにすることで、空間的シフトキー受信（ＳＳＫ−Ｒ）変調が達成される。
【００２６】
システム及び方法
図１には、本発明の簡単な平面的な機械的実施形態が示されている。ポジショニング信号送信器１０１は、空間的シフトキー送信（ＳＳＫ−Ｔ）アンテナ１０２と共に構成される。空間的シフトキー送信（ＳＳＫ−Ｔ）アンテナ１０２は、回転アーム１０４の一端に装着された送信アンテナ素子１０３を備え、そして回転アーム１０４の他端は、サーボモータのような回転手段１０５に接続される。回転アーム１０４は、固定長さを有し、シグネチャー周期と称する所定の周期中、所定の割合で回転する。シグネチャー周期は、送信アンテナ素子１０３がその所定の空間的パターンの１回転を完了するのに要する時間巾である。ここに示す実施形態では、説明を容易にするために、送信アンテナ素子１０３が１Ｈｚの割合（１秒当たり１つの完全回転）で時計方向に回転するが、この割合は、ユーザ受信器の搬送波追跡ループ帯域巾内に入る任意の割合へと変更されてもよい。又、送信器の回転アーム１０４は、送信アンテナ素子１０３が各秒の始めに最も北寄りのポイント１０６を横断するように構成される。それ故、ここに示す例では、空間的シフトキー送信（ＳＳＫ−Ｔ）アンテナ１０２は、北である主要方向をその基準フレームの主軸として使用するように構成される。
【００２７】
ユーザ受信器１０７は、空間的シフトキー受信（ＳＳＫ−Ｒ）アンテナ１０８と共に構成され、このアンテナは、ユーザプラットホーム１０９に装着され、そして空間的シフトキー送信（ＳＳＫ−Ｔ）アンテナ１０２と同じ平面に配置される。空間的シフトキー受信（ＳＳＫ−Ｒ）アンテナ１０８は、固定の向きでユーザプラットホーム１０９に取り付けられ、空間的シフトキー受信（ＳＳＫ−Ｒ）アンテナ１０８の主軸１１０が好ましくはユーザプラットホーム１０９の本体フレームの主軸１１１と整列するようにされる。或いは又、空間的シフトキー受信（ＳＳＫ−Ｒ）アンテナ１０８の主軸１１０及びユーザプラットホーム１０９の主軸１１１が互いに整列しない場合には、２つの主軸１１０及び１１１の相対的向きを測定して互いに数学的に整列させてもよい。空間的シフトキー受信（ＳＳＫ−Ｒ）アンテナ１０８は、受信器の回転アーム１１３の一端に装着された受信アンテナ素子１１２を備え、この受信器の回転アーム１１３の他端は、サーボモータのような回転手段１１４に接続される。受信器の回転アーム１１３は、送信器の回転アーム１０４と同じ長さを有し、可変の割合で回転することができる。ユーザ受信器１０７は、送信アンテナ素子１０３から受信アンテナ素子１１２を経て送信ポジショニング信号１１５を受信し、そして受信信号のドップラー値を測定するように構成される。説明を容易にするために、送信器１０１及びユーザ受信器１０７のクロックは、時間順に同期され、空間的シフトキー送信（ＳＳＫ−Ｔ）アンテナ１０２及び空間的シフトキー受信（ＳＳＫ−Ｒ）アンテナ１０８は、固定であり、そして送信アンテナ素子１０３及び受信アンテナ素子１１２は、時計方向に回転する。回転する受信アンテナ素子１１２に対する回転する送信アンテナ素子１０３の相対的移動に基づいて、変化するサイクリックなドップラーがユーザ受信器１０７により観察される。送信アンテナ素子１０３及び受信アンテナ素子１１２が一緒に回転するときには、両アンテナが、それらの各回転の最も北寄りのポイントを同時に横断する。ここに示すケースでは、送信アンテナ素子１０３は、受信アンテナ素子１１２がその最も北寄りのポイント１１６を横断するのと同時に、その最も北寄りのポイント１０６を横断する。アンテナ素子１０３及び１１２は、空間的に相関されると言うことができ、そしてユーザ受信器１０７により測定されたドップラーは、最小である。
【００２８】
アンテナ素子の回転が空間的相関状態からずれると、ドップラーが増加することになり、やがて、アンテナ素子が互いに１８０度位相ずれして回転し、測定されるドップラーが最大となる。送信アンテナ素子１０３及び受信アンテナ素子１１２が互いに１８０度位相ずれして回転すると、送信アンテナ素子１０３は、その回転の最も北寄りのポイント１０６を横断し、一方、受信アンテナ素子１１２は、その回転の最も北寄りのポイント１１７を横断する。これらのアンテナ素子は、空間的に非相関と言うことができ、そしてユーザ受信器１０７により測定されたドップラーは、最大となる。アンテナ同期制御手段１１８は、ユーザ受信器１０７により測定される受信ドップラーが最小になるまで、回転手段１１４の速度を調整するように構成される。アンテナ同期制御手段１１８は、回転手段１１４の速度を増加又は減少し、受信アンテナ素子１１２が送信アンテナ素子１０３の回転と整列するように回される(slew)。測定されたドップラーが最小になると、受信アンテナ素子１１２の回転速度は、送信アンテナ素子１０３の回転速度（この例では、１Ｈｚ）に安定化され、そして送信アンテナ素子１０３及び受信アンテナ素子１１２は、ここで、空間的に相関したと宣言する。アンテナ同期制御手段１１８は、回転手段１１４に修正を加え続け、空間的相関状態が維持されるようにする。
【００２９】
送信アンテナ素子及び受信アンテナ素子が異なる一定速度で回転するときには、それらがサイクリックなドップラーを発生する。受信アンテナ素子１１２が、送信アンテナ素子１０３（１Ｈｚ）より若干高い周波数（１．１Ｈｚ）で回転するように構成される場合には、受信アンテナ素子１１２が、２つの周波数の差の割合（０．１Ｈｚ）で、送信アンテナ素子１０３と整列したり整列ずれしたりするように回される。図２には、この構成から測定されたドップラーのドップラー対時間のグラフが示されている。ドップラーは、縦軸においてヘルツで目盛られ、そして時間は、横軸において秒で目盛られている。グラフの最小ドップラーポイント２０１及び２０２は、２つのアンテナ素子が空間的に一致するポイントであり、一方、グラフの最大ドップラーポイント２０３、２０４及び２０５は、２つのアンテナ素子が互いに１８０度位相ずれするポイントである。
【００３０】
図３には、図２に示された測定値のドップラー電力対時間のグラフが示されている。各１秒のシグネチャー周期にわたって合成されたドップラー測定値が縦軸にドップラー電力値として表わされている。横軸は、図２に示された同じ時間で、秒で目盛られている。グラフの最小ドップラー電力ポイント３０１及び３０２は、２つのアンテナ素子が空間的に一致するポイントであり、一方、グラフの最大ドップラー電力ポイント３０３、３０４及び３０５は、２つのアンテナ素子が互いに１８０度位相ずれするポイントである。図２と図３を比較すると、空間的シフトキー受信（ＳＳＫ−Ｒ）アンテナの位相中心と空間的シフトキー送信（ＳＳＫ−Ｔ）アンテナの位相中心との空間的相関は、最小ドップラー電力のポイント３０１及び３０２で達成されることが明らかである。それ故、本発明の一実施形態では、シグネチャー周期にわたり測定されるドップラー電力値を最小値へ至らせるようにアンテナ同期制御手段を調整することによりアンテナの空間的相関が達成される。
【００３１】
再び図１を参照すれば、送信アンテナ素子１０３は、各秒の始めにその回転の最も北寄りのポイント１０６を横断するように構成される。それ故、受信アンテナ素子１１２が送信アンテナ素子１０３と空間的に相関されたときには、各秒の始めにおける受信アンテナ素子１１２の位置がその回転の最も北寄りのポイント１１６を表わす。更に、この情報から、北１１６に対するユーザプラットホーム１０９の向きを正確に決定することができる。これは、受信アンテナ素子１１２が空間的シフトキー受信（ＳＳＫ−Ｒ）アンテナ１０８の主軸１１０を横断するときの時間（モジュロ１秒）を測定し、そして同期された受信アンテナ素子１１２の既知の回転率に基づいて角度的オフセットを計算することにより達成される。この簡単な機械的実施形態では、回転する受信アーム１１３が横断する場所の下で、空間的シフトキー受信（ＳＳＫ−Ｒ）アンテナ１０８の主軸１１０にスイッチ１１９が配置される。このスイッチ１１９は、回転する受信アーム１１３が頭上を通過するときにトリガーされ、モジュロ１秒のタイムスタンプがユーザ受信器１０７により記録される。このモジュロ１秒のタイムスタンプから、決定された移動時間（このケースでは、モジュロ１秒のタイムスタンプ）を、同期された受信アンテナ素子１１２の既知の回転率で除算することにより、北１１６に対する空間的シフトキー受信（ＳＳＫ−Ｒ）アンテナ１０８の向きを計算することができる。ここに示す例では、同期された受信アンテナ素子１１２が空間的シフトキー受信（ＳＳＫ−Ｒ）アンテナ１０８の主軸１１０を横断し、スイッチ１１９がトリガーされ、そして０．８２５７秒のモジュロ１秒のタイムスタンプがユーザ受信器１０７により記録される。１Ｈｚでは、１度の弧が受信アンテナ素子１１２により約２．７８ミリ秒で横断される。それ故、ユーザの向きは、０．８２５７秒を０．００２７８秒で除算したものであり、これは、北１１６に対して２９７度の時計方向に等しい。
【００３２】
別の実施形態では、北１１６に対する空間的シフトキー受信（ＳＳＫ−Ｒ）アンテナ１０８の向きは、各シグネチャー周期の始めに、空間的に同期された受信アンテナ回転アーム１１３の角度的オフセットを測定することにより計算できる。角度測定手段は、空間的シフトキー受信（ＳＳＫ−Ｒ）アンテナ１０８の主軸１１０に対して角度的オフセットを測定できる受信器回転アームアッセンブリで構成されてもよい。空間的に同期された受信アンテナ回転アーム１１３の角度的オフセットは、各シグネチャー周期の始めに、即ちこの１Ｈｚの例では、各秒の始めに、角度測定手段から読み取られる。この測定値は、空間的に同期された受信アンテナ回転アーム１１３がその回転の最も北寄りのポイント１１６を横断するときの時間に対応し、従って、北１１６に対する空間的シフトキー受信（ＳＳＫ−Ｒ）アンテナ１０８の正確な角度的オフセットを与える。
【００３３】
アンテナ位相中心の電子的移動
アンテナ素子の物理的な動きは、本発明の実施形態で簡単に説明されるが、このようなシステムは、工学的な複雑さ、製造費用及び機械的問題の潜在性のために不可能と考えられる。それ故、本発明の好ましい実施形態は、ドップラーシグネチャーを電子的に生成する方法を示す。アンテナ位相中心の電子的な移動は、アンテナ素子を所定の構成で空間的に分布させ、そしてアンテナ素子を次々に切り換えて、同期された位相中心の移動を生成することで達成できる。
【００３４】
図４には、本発明の簡単な電子的切り換え実施形態が示されている。ポジショニング信号送信器４０１は、空間的シフトキー送信（ＳＳＫ−Ｔ）アンテナ４０２と共に構成される。この空間的シフトキー送信（ＳＳＫ−Ｔ）アンテナ４０２は、円形パターンで装着された８個の送信アンテナ素子４０３−１乃至４０３−８のアレーで構成される。各送信アンテナ素子は、高周波（ＲＦ）スイッチ４０４のバンクに接続され、これは、次いで、ポジショニング信号送信器４０１に接続される。又、ＲＦスイッチバンク４０４は、マイクロプロセッサのような制御手段４０５にも接続され、これは、ＲＦスイッチバンク４０４の各ＲＦスイッチを必要に応じて個々にアクチベート及びデアクチベートすることができる。制御手段４０５は、ＲＦスイッチバンク４０４の当該スイッチをアクチベート及びデアクチベートするように構成され、各アンテナ素子４０３−１乃至４０３−８が次々に切り換えられ、送信位相中心がアレー４０３−１乃至４０３−８をめぐって進むようにする。この位相中心の移動は、送信ポジショニング信号４０６に所定のサイクリックなドップラーを誘起する。ここに示す例では８個のアンテナ素子が使用されるが、いかなる数のアンテナ素子も本発明の広い範囲に入ると考えられる。
【００３５】
ユーザ受信器４０７は、空間的シフトキー受信（ＳＳＫ−Ｒ）アンテナ４０８と共に構成され、このアンテナは、送信アンテナ素子４０３−１乃至４０３−８のアレーと同じ半径の円形パターンで装着された受信アンテナ素子４０９−１乃至４０９−８のアレーで構成される。各受信アンテナ素子４０９−１乃至４０９−８は、高周波（ＲＦ）スイッチ４１０のバンクに接続され、これは、次いで、ユーザ受信器４０７に接続される。又、ＲＦスイッチバンク４１０は、マイクロプロセッサのようなアンテナ同期制御手段４１１にも接続され、これは、ＲＦスイッチバンク４１０内の各ＲＦスイッチを必要に応じて個々にアクチベート及びデアクチベートすることができる。アンテナ同期制御手段４１１は、ＲＦスイッチバンク４１０の当該スイッチをアクチベート及びデアクチベートするように構成され、各受信アンテナ素子４０９−１乃至４０９−８が次々に切り換えられて、位相中心、ひいては、受信信号がアレー４０９−１乃至４０９−８をめぐって進むようにする。この動きは、受信ポジショニング信号にサイクリックなドップラーを誘起する。アンテナ同期制御手段４１１は、測定される受信ドップラーが最小になるまで受信アンテナＲＦスイッチングバンク４１０の時間を調整するように構成される。アンテナ同期制御手段４１１は、受信アンテナ素子スイッチングバンク４１０の速度を増加又は減少して、受信アンテナの位相中心が送信アンテナの位相中心の回転と整列するように回させる。測定されたドップラーが最小になると、受信アンテナの切り換え速度は、送信アンテナの切り換え速度に安定化し、そして送信アンテナアレー４０３−１乃至４０３−８及び受信アンテナアレー４０９−１乃至４０９−８は、空間的に相関したと宣言される。アンテナ同期制御手段４１１は、受信アンテナＲＦ切り換えバンク４１０の速度に調整を加え続け、空間的相関状態が維持されるようにする。ここに示す例では８個のアンテナ素子を使用するが、いかなる数のアンテナ素子も本発明の範囲内に入ると考えられる。
【００３６】
空間的シフトキー送信（ＳＳＫ−Ｔ）アンテナ４０２は、各秒の始めに、その最も北寄りのアンテナ素子４０３−１をアクチベートするように構成される。それ故、空間的シフトキー受信（ＳＳＫ−Ｒ）アンテナ４０８が空間的シフトキー送信（ＳＳＫ−Ｔ）アンテナ４０２と空間的に同期されたときには、各秒の始めに、現在アクティブな受信アンテナ素子の位置は、空間的シフトキー受信（ＳＳＫ−Ｒ）アンテナ４０８の位相中心回転の最も北寄りのポイントを表わす。更に、この情報から、北４１２に対する空間的シフトキー受信（ＳＳＫ−Ｒ）アンテナ４０８の向きは、空間的シフトキー受信（ＳＳＫ−Ｒ）アンテナ４０８の主軸４１３に位置された受信アンテナ素子４０９−２がアクチベートされたときに時間（モジュロ１秒）を測定することにより決定できる。このモジュロ１秒のタイムスタンプから、北４１２に対する空間的シフトキー受信（ＳＳＫ−Ｒ）アンテナ４０８向きは、決定された位相中心の移動時間（この場合は、モジュロ１秒のタイムスタンプ）を、受信アンテナ素子４０９−１乃至４０９−８の同期された位相中心の既知の回転率で除算することで、計算できる。
【００３７】
時間順の同期
ユーザ受信器の時間と送信器の時間との時間順の同期は、（１）単一ポイント位置解、又は（２）少なくとも１つの送信ポジショニング信号に変調された時間、のいずれかを使用することにより達成できる。
【００３８】
ユーザ受信器は、位置速度時間（ＰＶＴ）解としても知られた単一ポイント位置解を、既知の位置における送信器の時間順同期ネットワークから計算することができる。送信器の時間順同期ネットワークは、空間的シフトキー（ＳＳＫ）変調信号を組み込むことができ、それ故、複数の空間的シフトキー（ＳＳＫ）送信ポジショニング信号から単一ポイント位置解を導出することが許される。或いは又、グローバルナビゲーションサテライトシステム（ＧＮＳＳ）のような外部ソースから単一ポイント位置解を導出してもよい。単一ポイント位置解は、ユーザ受信器がナノ秒程度の精度でネットワーク時間を決定するのを許す。時間順の同期ネットワーク及び単一ポイント位置解は、この技術で良く知られており、本発明の要旨ではない。
【００３９】
或いは又、ユーザ受信器が、少なくとも１つの送信ポジショニング信号に変調された時間を受信することで、送信器の時間を決定してもよい。この変調された時間は、無線波が送信器から受信器へ進むのに要する時間、信号伝播遅延として知られている、だけ遅延される。それ故、ユーザ受信器の数キロメーター以内にある送信ポジショニング信号に変調された時間は、マイクロ秒程度の時間精度を生じる。
【００４０】
ドップラーシグネチャーに対する多経路の影響
固定の空間的シフトキー受信（ＳＳＫ−Ｒ）アンテナは、その空間的パターンにおいて同じ位置を横断するたびに、その位相中心が同じ多経路フェードを押し分けて進むときに、サイクリックなドップラー及び信号強度変動を経験することがある。これは、ユーザ受信器搬送波追跡ループの繰り返しの不安定化を引き起こすことがあり、これは、ユーザ受信器にとってサイクリックなドップラーのように見える。アンテナ同期制御手段は、このドップラーを空間的シフトキー受信（ＳＳＫ−Ｒ）アンテナの位相中心において空間的インコヒレンシーと誤解し、そしてアンテナ同期を修正するように誤って試みる。それ故、多経路によるサイクリックなドップラーは、これを識別してアンテナ同期制御手段から排除し、ドップラーシグネチャーの一貫した空間的同期を維持しなければならない。本発明の好ましい実施形態は、信号強度測定値を使用して、多経路フェードを識別し、次いで、測定された信号強度フェードに関連したドップラー測定値を排除することで、これを達成する。好ましい実施形態では、アンテナ同期制御手段は、受け容れられる信号強度レベルに関連したドップラー測定値のみを使用し、この場合に、搬送波追跡ループがドップラーを正しく測定する。これらの受け容れられる信号強度レベルは、受信信号強度をシグネチャー周期にわたって平均化し、これはシグネチャー基準信号強度（ＳＲＳＳ）として知られている、そしてドップラー測定値が受け容れられないと思われるこのシグネチャー基準信号強度（ＳＲＳＳ）より低い信号強度スレッシュホールドを決定することにより、決定されるのが好ましい。スレッシュホールドより低い信号強度に関連したドップラー測定値は、アンテナ同期制御手段により受け容れられない。或いは又、シグネチャー基準信号強度（ＳＲＳＳ）は、他の数学的技術を使用して決定されてもよく、例えば、受信信号強度の中間、標準偏差、バリアンス、スキュー、ケルトシス(kertosis)、又は同様の統計学的尺度を使用して決定されてもよい。
【００４１】
時々、信号強度の再開後に追跡ループの安定性に影響が及ぶことがある。それ故、アンテナ同期制御手段によるドップラー使用の再開に対して第２のスレッシュホールドが設定されてもよい。ここに示す例では、アンテナ同期制御手段は、信号強度がシグネチャー基準信号強度（ＳＲＳＳ）より３ｄＢ低く下降したときにドップラー測定値を無視し、そして信号強度がシグネチャー基準信号強度（ＳＲＳＳ）より１ｄＢ高く増加したときにドップラー測定値の使用を再開することができる。
【００４２】
図５には、信号強度対時間のグラフ５０１が示され、そしてこれには、シグネチャー基準信号強度（ＳＲＳＳ）対時間のグラフ５０２が重畳され、ここでは、固定の空間的シフトキー受信（ＳＳＫ−Ｒ）アンテナが、その位相中心をサイクリックなパターンで連続的に移動し、且つ多経路フェードを横断している。位相中心の各完全な回転で生じることであるが、位相中心が多経路フェードを横断するたびに、信号強度測定値５０１にサイクリックな電力フェードが明確に現われる。シグネチャー基準信号強度（ＳＲＳＳ）測定値５０２は、信号強度測定値より一貫したものであり、従って、比較的安定した信号強度基準を与える。
【００４３】
ドップラーシグネチャーの追跡
空間的シフトキー受信（ＳＳＫ−Ｒ）アンテナに関連したアンテナ同期制御手段は、送信空間的シフトキー（ＳＳＫ）ドップラーシグネチャーとの空間的相関を維持するために受信ドップラーを維持しなければならない。本発明の好ましい実施形態では、これは、空間的ロックループ（ＳＬＬ）として知られた特殊な追跡ループを使用して達成される。この空間的ロックループ（ＳＬＬ）は、早い及び遅い追跡アームを含むか、或いは早い、迅速な及び遅い追跡アームを含むのが好ましい。追跡アームは、空間的シフトキー受信（ＳＳＫ−Ｒ）アンテナの所定のサイクリックなパターン内にドップラーシグネチャーを空間的に分布させ、そして各々の空間的に分離したドップラーシグネチャー追跡アームに対するドップラー電力値を計算することにより形成される。平面の空間的シフトキー（ＳＳＫ）アンテナでは、追跡アームは、空間的に互いにオフセットしていると記述されるドップラーシグネチャーを発生し、ここで、早い追跡アームは、遅い追跡アームのドップラーシグネチャーより角度的に進んだドップラーシグネチャーを生成する。好ましい実施形態では、各追跡アームからの受信ドップラー値は、シグネチャー周期にわたって合成されて、早い追跡アームのドップラー電力値及び遅い追跡アームのドップラー電力値を形成する。これらの早い及び遅い追跡アームのドップラー電力値は、その後に比較されて、修正値を形成し、これは、同期制御手段に通され、空間的シフトキー受信（ＳＳＫ−Ｒ）アンテナの位相中心の動きに対して必要な調整がなされる。
【００４４】
空間的シフトキー受信（ＳＳＫ−Ｒ）アンテナを、送信空間的シフトキー（ＳＳＫ）ドップラーシグネチャーとの空間的相関へともっていくのに必要な修正値を決定するために、空間的シフトキー受信（ＳＳＫ−Ｒ）アンテナのドップラー自己相関応答関数が分からねばならない。この関数を決定するために、既知のスタート位置の空間的シフトキー送信（ＳＳＫ−Ｔ）アンテナ位相中心が、固定の角速度でそのシグネチャーパターンの完全なサイクルを通して移動される。同時に、既知の相対的スタート位置の空間的シフトキー受信（ＳＳＫ−Ｒ）アンテナ位相中心も、同じ固定の角速度でそのシグネチャーパターンの完全なサイクルを通して移動される。ドップラー自己相関応答関数は、この記述された構成から、（ａ）空間的シフトキー送信（ＳＳＫ−Ｔ）アンテナ位相中心に対する空間的シフトキー受信（ＳＳＫ−Ｒ）アンテナ位相中心の角度的オフセットを決定し、（ｂ）シグネチャー周期にわたって受信ドップラーを測定し、（ｃ）その測定された受信ドップラーを合成して、シグネチャー周期に対するドップラー電力値を決定し、（ｄ）その決定されたドップラー電力値をドップラー電力値角度オフセットグラフに表示し、（ｅ）空間的シフトキー受信（ＳＳＫ−Ｒ）アンテナ位相中心のスタート位置（角度オフセット）を僅かな量（例えば、１度）だけ増加し、そして（ｆ）上記ステップを繰り返す、ことにより発生される。
【００４５】
図６には、図１乃至図４を参照して述べたように、空間的シフトキー送信（ＳＳＫ−Ｔ）アンテナ信号を受信する空間的シフトキー受信（ＳＳＫ−Ｒ）アンテナに対するドップラー自己相関応答関数（ドップラー電力対角度オフセット）の一例が示されている。空間的シフトキー受信（ＳＳＫ−Ｒ）アンテナ位相中心は、円運動において既知の姿勢及び固定の角速度で回転し、そして空間的シフトキー送信（ＳＳＫ−Ｔ）アンテナの変調信号を受信し、これも、その位相中心を円運動において固定の姿勢及び同じ固定の角速度で回転する。両空間的シフトキー（ＳＳＫ）アンテナは、シグネチャー周期を構成する３６０度の回転で同じ平面上に位置される。ゼロ度の角度オフセット６０１では、空間的シフトキー受信（ＳＳＫ−Ｒ）アンテナは、シグネチャー周期にわたり最小のドップラー電力値を発生し、それ故、送信ドップラーシグネチャーと空間的に相関される。これは、ドップラー電力最小値（ＤＰＭ）６０１と称される。±１８０度６０２−１及び６０２−２では、空間的シフトキー受信（ＳＳＫ−Ｒ）アンテナは、シグネチャー周期にわたり最大のドップラー電力値を発生し、それ故、送信ドップラーシグネチャーとは空間的に非相関である。ゼロ度６０１から外方へほぼ＋１００度６０３−１及び−１００度６０３−２までにおいてドップラー電力最小値（ＤＰＮ）からの空間的シフトキー受信（ＳＳＫ−Ｒ）アンテナの角度的オフセットは、ドップラー電力の実質的に直線的な増加を生じ、それに対応して空間的相関が減少する。他のドップラーシグネチャーに対応するドップラー自己相関応答関数も、本発明の広い範囲内に包含される。
【００４６】
又、図６には、正しい追跡の空間的ロックループ（ＳＬＬ）も示されており、従って、早い追跡アーム６０４−１は、ドップラー電力最小値（ＤＰＭ）６０１より４５度進んで位置され、そして遅い追跡アーム６０４−２は、ドップラー電力最小値（ＤＰＭ）６０１より４５度遅れて位置される。この構成では、早い追跡アーム６０４−１及び遅い追跡アーム６０４−２は、シグネチャー周期にわたり実質的に等しいドップラー電力値を示す。早い追跡アーム６０４−１のドップラー電力値を、遅い追跡アーム６０４−２のドップラー電力値から差し引き、これは「早い・マイナス・遅い」プロセスと称される、修正の大きさ及び符号値を決定する。これらの修正の大きさ及び符号値は、その後にアンテナ同期制御手段へ通され、そして空間的シフトキー受信（ＳＳＫ−Ｒ）アンテナの位相中心の動きに対して必要な調整が行なわれる。即ち、空間的シフトキー送信（ＳＳＫ−Ｔ）アンテナの位相中心と空間的シフトキー受信（ＳＳＫ−Ｒ）アンテナの位相中心を空間的整列状態にもっていくために、空間的シフトキー受信（ＳＳＫ−Ｒ）アンテナの位相中心の回転が必要量だけ進められるか又は遅らされる。このプロセスは、「早い・マイナス・遅い」値をできるだけゼロに近づけて整列維持するように閉ループ式に更新され続ける。「早い・マイナス・遅い」値が所定のスレッシュホールドより下に押しやられると、空間的シフトキー受信（ＳＳＫ−Ｒ）アンテナは、空間的シフトキー送信（ＳＳＫ−Ｔ）アンテナと空間的に相関したと宣言される。
【００４７】
空間的ロックループ（ＳＬＬ）が取得モードにあるとき又は突然のユーザ移動があるときには、早い及び遅い追跡アームがドップラー電力最小値（ＤＰＭ）６０１を「またがない」ことがある。又、図６には、取得モードにある空間的ロックループ（ＳＬＬ）の例も示されており、従って、早い追跡アーム６０５−１は、ドップラー電力最小値（ＤＰＭ）６０１より１２０度進んで位置され、そして遅い追跡アーム６０５−２は、ドップラー電力最小値（ＤＰＭ）６０１より３０度進んで位置される。この構成では、早い追跡アーム６０５−１及び遅い追跡アーム６０５−２は、ドップラー電力最小値（ＤＰＭ）６０１をまたがず、そして等しくないドップラー電力値を示す。早い追跡アーム６０５−１のドップラー電力値を、遅い追跡アーム６０５−２のドップラー電力値から差し引いて（「早い・マイナス・遅い」）、修正の大きさ及び符合を決定する。符号は、正しく、そして同期制御手段は、空間的シフトキー受信（ＳＳＫ−Ｒ）アンテナを適当な方向に回転移動させる。しかしながら、大きさは、一般に、ドップラー電力最小値（ＤＰＭ）６０１を横切って早い及び遅い追跡アーム６０５−１及び６０５−２を配置するに充分なものではない。それ故、追跡アームを正しく位置するまでに修正プロセスを数回繰り返すことが必要であろう。
【００４８】
又、早い追跡アーム６０６−１及び遅い追跡アーム６０６−２が、６０２−１のような１８０度ドップラーピークに整列し、そして実質的に等しいドップラー電力値を示すことも考えられる。しかしながら、この状況では、「早い・マイナス・遅い」追跡値は、追跡を維持するのに誤った符号を示し、そして追跡アーム６０６−１及び６０６−２は、ドップラー電力ピーク６０２−１を「滑り落ちる」。追跡アームが正しく位置されるまで、この修正プロセスを何回も繰り返すことができる。
【００４９】
本発明の更に別の実施形態では、空間的ロックループ（ＳＬＬ）の取得及び追跡プロセスを促進するために、早い追跡アームと遅い追跡アームとの間に迅速な追跡アームを付加的に配置することができる。図６には、正しい追跡の空間的ロックループ（ＳＬＬ）も示されており、従って、早い追跡アーム６０４−１は、ドップラー電力最小値（ＤＰＭ）６０１から４５度進んで位置され、迅速な追跡アーム６０４−３は、ドップラー電力最小値（ＤＰＭ）６０１に位置され、そして遅い追跡アーム６０４−２は、ドップラー電力最小値（ＤＰＭ）６０１より４５度遅れて位置される。早い追跡アーム６０４−１の値を迅速な追跡アーム６０４−３の値から差し引き（「早い・マイナス・迅速」）、そして遅い追跡アーム６０４−２の値を迅速な追跡アーム６０４−３の値から差し引き（「遅い・マイナス・迅速」）、付加的な追跡情報を生成する。正しい追跡の空間的ロックループ（ＳＬＬ）は、ほぼゼロの「早い・マイナス・遅い」追跡アーム値を与え、「早い・マイナス・迅速」及び「遅い・マイナス・迅速」値は、実質的に等しい大きさ及び正の符号を与える。空間的シフトキー受信（ＳＳＫ−Ｒ）アンテナは、若干ピークずれしてシフトするが、早い及び遅い追跡アームは、ドップラー電力最小値（ＤＰＭ）６０１に「またがり」続け、次いで、空間的ロックループ（ＳＬＬ）は、非ゼロの「早い・マイナス・遅い」追跡アーム値を与え、「早い・マイナス・迅速」及び「遅い・マイナス・迅速」値は、等しくない大きさ及び正の符号を与える。ドップラー電力最小値（ＤＰＭ）６０１に「またがらない」誤った追跡の空間的ロックループ（ＳＬＬ）は、非ゼロの「早い・マイナス・遅い」追跡アーム値を与え、「早い・マイナス・迅速」及び「遅い・マイナス・迅速」値は、等しくない大きさ及び逆の符号を与える。空間的シフトキー受信（ＳＳＫ−Ｒ）アンテナの位相中心の追跡が１８０度６０２−１又は６０２−２である場合には、空間的ロックループ（ＳＬＬ）は、実質的にゼロの「早い・マイナス・遅い」追跡アーム値を与え、「早い・マイナス・迅速」及び「遅い・マイナス・迅速」値は、実質的に等しい大きさ及び負の符号を与える。それ故、空間的ロックループ（ＳＬＬ）が正しい構成で動作するためには、「早い・マイナス・迅速」値及び「遅い・マイナス・迅速」値が正の符号を与えねばならない。空間的シフトキー受信（ＳＳＫ−Ｒ）アンテナ同期制御手段は、「早い・マイナス・迅速」及び「遅い・マイナス・迅速」の追跡アーム値に正の符号が測定されるまで受信アンテナの位相中心を回させる。正の符号が指示されると、「早い・マイナス・遅い」追跡アーム値を使用して、空間的シフトキー受信（ＳＳＫ−Ｒ）アンテナの位相中心を、空間的シフトキー送信（ＳＳＫ−Ｔ）アンテナの位相中心との空間的相関状態にもっていく。
【００５０】
追跡アーム技術
空間的シフトキー受信（ＳＳＫ−Ｒ）アンテナに追跡アームを形成することは、２つの仕方で行うことができる。
（１）空間的シフトキー受信（ＳＳＫ−Ｒ）アンテナは、互いに空間的にオフセットした複数の同一のドップラーシグネチャーを同時に発生するように構成できる。各ドップラーシグネチャーは、ユーザ受信器のそれ自身の個別の高周波（ＲＦ）フロントエンドに個々に出力される。それ故、全ての追跡アームドップラー値が同時に発生される。或いは、
（２）空間的シフトキー受信（ＳＳＫ−Ｒ）アンテナは、互いに空間的にオフセットした複数の同一のドップラーシグネチャーを連続的に発生するように構成されてもよい。各ドップラーシグネチャーは、ユーザ受信器の単一の高周波（ＲＦ）フロントエンドに連続的に出力される。それ故、全ての追跡アームドップラー値が順次に発生される。
【００５１】
本発明の好ましい実施形態では、連続的に発生されるドップラーシグネチャーは、空間的シフトキー受信（ＳＳＫ−Ｒ）アンテナに追跡アームを形成するのに使用される。図７には、円形パターンに装着された８個の受信アンテナ素子７０３−１乃至７０３−８のアレーを備えた空間的シフトキー受信（ＳＳＫ−Ｒ）アンテナ７０２と共に構成されたユーザ受信器７０１が示されている。高周波（ＲＦ）スイッチバンク７０４も、マイクロプロセッサのようなアンテナ同期制御手段７０５に接続され、これは、高周波（ＲＦ）スイッチバンク７０４内の各高周波（ＲＦ）スイッチを必要に応じて個々にアクチベート及びデアクチベートする。アンテナ同期制御手段７０５は、高周波（ＲＦ）スイッチバンク７０４の当該スイッチをアクチベート及びデアクチベートするように構成され、各受信アンテナ素子７０３−１乃至７０３−８が順次に切り換えられ、そして位相中心、ひいては、受信信号がアレー７０３−１乃至７０３−８をめぐって進むようにする。
【００５２】
位相中心の回転シーケンスを示す３つの円７０６、７０７及び７０８も示されている。各円は、空間的シフトキー受信（ＳＳＫ−Ｒ）アンテナ７０１の第１の位相中心回転（早いドップラーシグネチャー）７０６、第２の位相中心回転（迅速なドップラーシグネチャー）７０７、及び第３の位相中心回転（遅いドップラーシグネチャー）７０８に対応する周期に関係している。空間的シフトキー受信（ＳＳＫ−Ｒ）アンテナ７０２の第１の位相中心回転７０６は、この第１の位相中心回転７０６の完全な回転に対するスタートポイント７０９として第１の受信アンテナ素子７０３−１において開始される。第１の位相中心回転７０６に対して測定されたドップラー電力値は、ユーザ受信器７０１内の早い追跡アームメモリ７１０に早い追跡アーム値として記憶される。第１の位相中心回転７０６の完了直後に、空間的シフトキー受信（ＳＳＫ−Ｒ）アンテナ７０２の第２の位相中心回転７０７が、第１の位相中心回転７０６のスタートポイントから所定の角度オフセットでスタートして開始される。ここに示す例では、この角度オフセットは、アンテナ素子７０３−２により表わされる。空間的シフトキー受信（ＳＳＫ−Ｒ）アンテナ７０２の第２の位相中心回転は、第２の位相中心回転７０７の完全な回転に対するスタートポイント７１１として第２の受信アンテナ素子７０３−２において開始される。この第２の位相中心回転７０７に対して測定されたドップラー電力値は、ユーザ受信器７０１内の迅速な追跡アームメモリ７１２内に迅速な追跡アーム値として記憶される。第２の位相中心回転７０７の完了直後に、空間的シフトキー受信（ＳＳＫ−Ｒ）アンテナ７０２の第３の位相中心回転７０８が、第２の位相中心回転７０７のスタートポイント７１１から所定角度のオフセットでスタートして開始される。ここに示す例では、この角度オフセットは、アンテナ素子７０３−３により表わされる。空間的シフトキー受信（ＳＳＫ−Ｒ）アンテナ７０２の第３の位相中心回転７０８は、第３の位相中心回転７０８の完全な回転に対するスタートポイント７１３として第３の受信アンテナ素子７０３−３において開始される。この第３の位相中心回転７０８に対して測定されたドップラー電力値は、ユーザ受信器７０１内の遅い追跡アームメモリ７１４に遅い追跡アーム値として記憶される。早い追跡アームメモリ７１０、迅速な追跡アームメモリ７１２及び遅い追跡アームメモリ７１４の記憶されたドップラー電力値は、その後に、ユーザ受信器７０１により比較され、そして空間的ロックループ（ＳＬＬ）の大きさ及び符号修正値が計算される。これらの計算された値は、その後に、空間的シフトキー受信（ＳＳＫ−Ｒ）アンテナ同期制御手段７０５へ通され、従って、空間的シフトキー受信（ＳＳＫ−Ｒ）アンテナ７０２の位相中心の回転に対して必要な調整を行うことができる。
【００５３】
本発明のここに示す実施形態では、各アンテナ素子７０２−１乃至７０２−８の間に４５度の角度オフセットがあり、早い追跡アームを遅い追跡アームより９０度進ませている。しかしながら、いかなる数のアンテナ素子、及び追跡アーム角度オフセット値も、本発明の広い範囲内に包含される。
【００５４】
ユーザの移動で誘起されるドップラー
空間的シフトキー受信（ＳＳＫ−Ｒ）アンテナのユーザ移動は、受信したドップラーシグネチャーに付加的なドップラー成分を誘起する。ユーザ移動により誘起されるドップラーは、空間的シフトキー（ＳＳＫ）アンテナの空間的同期を乱さないようにアンテナ同期制御手段から排除されねばならない。これは、次の方法の１つ又は組み合せを使用して達成することができる。
【００５５】
方法１．本発明の空間的ロックループ（ＳＬＬ）方法は、早い追跡アームドップラー電力値を遅い追跡アームドップラー電力値から差し引き、これは、「早い・マイナス・遅い」プロセスとして知られている。単一の送信ドップラーシグネチャーから受け取った同時の早い及び遅い追跡アームドップラー電力値の差をとるプロセスは、ユーザの移動により誘起される全てのドップラーを排除する。本発明の実施形態は、追跡アーム値を同時に捕獲できるが、空間的ロックループ（ＳＬＬ）の好ましい実施形態では、追跡アーム値が連続的に捕獲される。これは、２つの連続する測定の各々の間にユーザ移動がおそらく異なるために「早い・マイナス・遅い」値に潜在的なエラーを招くことになる。このエラー源は、ドップラーシグネチャーの割合を高め、従って、早い追跡アーム測定エポックと遅い追跡アームエポックとの間の周期を減少し、ひいては、測定と測定との間の潜在的なユーザ移動を最小にすることにより軽減される。
【００５６】
方法２．ユニークな静的なポジショニング信号を構成して、空間的シフトキー送信（ＳＳＫ−Ｔ）アンテナに付近に送信し、その静的なポジショニング信号と空間的シフトキー（ＳＳＫ）ポジショニング信号との両方が時間順に同期され、且つ動き回るユーザ受信器に対して実質的に同じレンジ及びユニットベクトルをもつようにする。実質的に同じレンジ及びユニットベクトルで受信されたポジショニング信号は、動き回るユーザ受信器におけるユーザ移動のために実質的に同じドップラー測定値を示す。好ましい実施形態では、ユーザ受信器は、空間的シフトキー受信（ＳＳＫ−Ｒ）アンテナと、この空間的シフトキー受信（ＳＳＫ−Ｒ）アンテナに接近して配置された単一の固定基準アンテナと共に構成される。この単一の固定基準アンテナは、受信ドップラーシグネチャーを生成しない。空間的シフトキー送信（ＳＳＫ−Ｔ）アンテナのドップラーシグネチャーは、空間的シフトキー受信（ＳＳＫ−Ｒ）アンテナを経て受信され、そして静的な（非シグネチャーの）送信ポジショニング信号は、固定の基準受信アンテナを経て受信される。アンテナ同期制御手段には、受信した固定基準信号と空間的シフトキー（ＳＳＫ）信号との間の差を表わす差信号が供給され、これにより、ユーザ移動を排除する。
【００５７】
方法３．ユーザ受信器を伴う慣性ナビゲーションシステム（ＩＮＳ）を構成し、そしてＩＮＳ信号と空間的シフトキー受信（ＳＳＫ−Ｒ）アンテナ信号との差をとってユーザ移動を排除する。差の信号をアンテナ同期制御手段へ供給する。慣性ナビゲーションシステムは、この技術で良く知られており、本発明の要旨ではない。
【００５８】
方法４．比較的高い周波数のドップラーシグネチャーから低い周波数のユーザ移動をフィルタリングしそしてハイパスフィルタされた信号をアンテナ同期制御手段に供給する。
【００５９】
方法５．以下に詳細に説明するように、いわゆる差動ドップラーシグネチャーを適用する。
【００６０】
差動ドップラーシグネチャー
本発明は、更に、複数の送信ドップラーシグネチャーと複数の局部的に発生される受信器ドップラーシグネチャーとの差をとることにより、ユーザの移動や受信器のクロックドリフトで妨げられずに、受信器の姿勢を決定するためのシステム及び方法を開示する。送信器は、複数のユニークなポジショニング信号を発生するように構成され、これら信号は、空間的シフトキー送信（ＳＳＫ−Ｔ）アンテナの複数のアンテナ位相中心を経て送信され、各アンテナ位相中心は、ユニークな予め定められた動きを示す。各ユニークな予め定められた動きは、ユニークな所定のインターバルで繰り返され、これにより、各送信ポジショニング信号にユニークな所定のドップラーシグネチャーを誘起する。受信器は、空間的シフトキー受信（ＳＳＫ−Ｒ）アンテナの複数のアンテナ位相中心を経て複数のユニークなドップラー変更ポジショニング信号を受信するように構成され、各受信アンテナ位相中心は、ユニークなポジショニング信号を受信する。各受信アンテナ位相中心は、その各々の送信アンテナ位相中心と同じユニークな予め定められた動きで運動しそしてそれと同じユニークな所定のインターバルで繰り返すように構成される。ユーザ受信器内のアンテナ同期制御手段は、受信したポジショニング信号の差のドップラー電力測定値をゼロに向かって押しやることで複数のユニークな空間的シフトキー送信（ＳＳＫ−Ｔ）ドップラーシグネチャーに一致させるように空間的シフトキー受信（ＳＳＫ−Ｒ）アンテナの複数のアンテナ位相中心を連続的に調整する。受信したドップラー電力の差が最小になると、空間的シフトキー送信（ＳＳＫ−Ｔ）アンテナの位相中心と空間的シフトキー受信（ＳＳＫ−Ｒ）アンテナの位相中心が一緒に移動し、そして空間的に相関したと宣言される。これで、両アンテナを空間的相関状態へもっていくに必要なアンテナ同期制御手段のオフセットを測定することにより、空間的シフトキー受信（ＳＳＫ−Ｒ）アンテナの姿勢を空間的シフトキー送信（ＳＳＫ−Ｔ）アンテナの姿勢に対して正確に決定することができる。ユーザの移動又は受信器クロックのドリフトによる無関係のドップラー測定値は、差をとるプロセスにおいて排除される。
【００６１】
図８には、本発明の差動ドップラーシグネチャー方法の簡単な平面機械的実施形態が示されている。ポジショニング信号送信器８０１は、空間的シフトキー送信（ＳＳＫ−Ｔ）アンテナ８０２と共に構成される。この空間的シフトキー送信（ＳＳＫ−Ｔ）アンテナ８０２は、回転アーム８０４の一端に装着されて第１のユニークなポジショニング信号８０５を送信する第１の送信アンテナ素子８０３と、回転アーム８０４の反対端に装着されて第２のユニークなポジショニング信号８０７を送信する第２の送信アンテナ素子８０６とを備え、回転アーム８０４の中心は、サーボモータのような回転手段８０８に接続される。回転アーム８０４は、固定の長さを有し、そして所定の割合で回転する。ここに示す実施形態では、説明を容易にするために、送信アンテナ８０３及び８０６が１Ｈｚの割合（１秒当たり１つの完全な回転）で時計方向に回転するが、この割合は、受信器の追跡ループ帯域巾内に入るいかなる割合に変化されてもよい。又、送信回転アーム８０４は、各秒の始めに、第１の送信アンテナ素子８０３がその最も北寄りのポイント８０９を横断し、そして第２の送信アンテナ素子８０６がその最も北寄りのポイント８１０を横断するように構成される。
【００６２】
ユーザ受信器８１１は、空間的シフトキー受信（ＳＳＫ−Ｒ）アンテナ８１２と共に構成され、これは、ユーザプラットホーム８１３に装着されると共に、空間的シフトキー送信（ＳＳＫ−Ｔ）アンテナ８０２と同じ平面に位置される。空間的シフトキー受信（ＳＳＫ−Ｒ）アンテナ８１２は、ユーザプラットホーム８１３に固定の向きで取り付けられ、空間的シフトキー受信（ＳＳＫ−Ｒ）アンテナ８１２の主軸８１４がユーザプラットホーム８１３の本体フレームの主軸８１５と整列されるのが好ましい。空間的シフトキー受信（ＳＳＫ−Ｒ）アンテナ８１２は、回転アーム８１７の一端に装着され且つ第１の送信アンテナ素子８０３から送信される第１のユニークなポジショニング信号８０５を受信する第１の受信アンテナ素子８１６と、回転アーム８１７の反対端に装着され且つ第２の送信アンテナ素子８０６から送信される第２のユニークなポジショニング信号８０７を受信する第２の受信アンテナ素子８１８とを備え、回転アーム８１７の中心は、サーボモータのような回転手段８１９に接続される。回転アーム８１７は、送信回転アーム８０４と同一の長さであり、可変の割合で回転することができる。ユーザ受信器８１１は、第１の送信アンテナ素子８０３から第１の受信アンテナ素子８１６を経て第１の送信ポジショニング信号８０５を受信し、そしてその受信した第１のポジショニング信号８０５のドップラー値を測定するように構成される。同時に、ユーザ受信器８１１は、第２の送信アンテナ素子８０６から第２の受信アンテナ素子８１８を経て第２の送信ポジショニング信号８０７を受信し、そしてその受信した第２のポジショニング信号８０７のドップラー値を測定するように構成される。受信アンテナ素子８１６及び８１８に対する送信アンテナ素子８０３及び８０６の相対的移動に基づいて、変化するサイクリックなドップラーがユーザ受信器８１１により観察される。第１の送信アンテナ素子８０３及び第１の受信アンテナ素子８１６が一緒に回転すると、両アンテナ素子は、それらの各回転の最も北寄りのポイント（ポイント８０９及びポイント８２０）を同時に横断する。同時に、第２の送信アンテナ素子８０６及び第２の受信アンテナ素子８１８がそれらの各回転の最も南よりのポイント（ポイント８１０及びポイント８２１）を横断する。これらのアンテナは、空間的に同期されたと言うことができ、第１の送信アンテナ素子８０３と第１の受信アンテナ素子８１６との間の測定されたドップラーは最小であり、そして第２の送信アンテナ素子８０６と第２の受信アンテナ素子８１８との間の測定されたドップラーも最小である。第１の受信されたドップラー観察値が、第２の受信されたドップラー観察値から差し引かれ、この場合は、実質的にゼロのドップラー差を生じる。この実質的にゼロのドップラー差は、ユーザ移動によって動揺を受けないものである。というのは、第１ポジショニング信号８０５と第２ポジショニング信号８０７との差をとるプロセスにおいてユーザ誘起ドップラーが全て除去されるからである。
【００６３】
アンテナ素子の回転がこの空間的相関状態からそれる場合には、アンテナ素子が互いに１８０度位相ずれして回転しそして測定されたドップラー差が最大になるまで、ドップラー差が増大する。第１の送信アンテナ素子８０３及び第１の受信アンテナ素子８１６が互いに１８０度位相ずれして回転するときには、第１の送信アンテナ素子８０３がその回転の最も北寄りのポイント８０９を横断し、一方、第１の受信アンテナ素子８１６がその回転の最も南寄りのポイント８２１を横断する。同時に、第２の送信アンテナ素子８０６がその回転の最も南寄りのポイント８１０を横断し、一方、第２の受信アンテナ素子８１８がその回転の最も北寄りのポイント８２０を横断する。アンテナは、空間的に非同期状態であると言うことができ、第１の送信アンテナ素子８０３と第１の受信アンテナ素子８１６との間の測定されたドップラーは最大であり、そして第２の送信アンテナ素子８０６と第２の受信アンテナ素子８１８との間の測定されたドップラーも最大である。重要なことに、これらのドップラー観察は、ユーザ受信器８１１により測定されるときに互いに１８０度位相ずれしている。次いで、第１の受信ドップラー観察値を、第２の受信ドップラー観察値から差し引き、２つの観察の位相ずれの性質により、最大測定ドップラー振幅の倍増を生じる。重要なことに、この倍増されたドップラー差は、ユーザの動きにより動揺を受けないものである。というのは、差をとるプロセスにおいて全てのユーザ誘起ドップラーが除去されるからである。更に、倍増されたドップラー差は、アンテナ同期制御手段８２２に、高い分解能の制御信号を供給し、従って、ドップラーシグネチャーの改良された空間的相関を与える。アンテナ同期制御手段８２２は、測定された受信ドップラー差が最小になるまで受信回転手段８１９の速度を調整するように構成される。アンテナ同期制御手段８２２は、受信回転手段８１９の速度を増加又は減少し、これは、次いで、回転する受信アンテナ素子８１６及び８１８の速度を増加又は減少し、受信アンテナ素子８１６及び８１８が送信アンテナ素子８０３及び８０６の回転との整列状態へ回される。測定されたドップラー差が最小になると、受信アンテナ素子の回転速度は、送信アンテナ素子の回転速度（この場合は１Ｈｚ）へと安定化され、送信アンテナ素子及び受信アンテナ素子は、空間的に相関したと宣言される。アンテナ同期制御手段８２２は、送信アンテナ素子との空間的同期を維持するように受信アンテナ回転手段８１９の回転速度に修正を加え続け、空間的シフトキー受信（ＳＳＫ−Ｒ）アンテナプラットホーム８１３がユーザ移動により向きが直されたときに、空間的相関が維持されるようにする。次いで、上述したように、ユーザプラットホームの姿勢が決定される。
【００６４】
差動ドップラーシグネチャーは、複数の高周波（ＲＦ）フロントエンドを組み込んだユーザ受信器を通して受信することもできるし、或いは時分割多重アクセス（ＴＤＭＡ）機構でマルチプレクスされる単一高周波（ＲＦ）フロントエンドを組み込んだユーザ受信器により受信することもできる。複数の高周波（ＲＦ）フロントエンドは、空間的シフトキー受信（ＳＳＫ−Ｒ）アンテナからユニークなドップラーシグネチャーを追跡して、各送信シグネチャーから完全な相関電力が受け取られるように、各々指定することができる。２つ以上のＲＦフロントエンドを通してドップラーシグネチャーを同時に受信することで、大きな受信デューティサイクルにより、各ドップラーシグネチャーに対して大きな受信相関電力を許すが、異なる高周波ＲＦフロントエンド間に変化するグループ遅延及びラインバイアスの潜在性を生み出す。或いは又、各シグネチャーの受信は、単一の高周波（ＲＦ）フロントエンドを通して時分割されて、空間的シフトキー受信（ＳＳＫ−Ｒ）アンテナからの各ドップラーシグネチャーにユニークな受信タイムスロットを割り当てることができる。この実施形態では、空間的シフトキー受信（ＳＳＫ−Ｒ）アンテナは、ドップラーシグネチャー間を連続的に切り換えるスイッチング手段を組み込んでいる。このスイッチングは、ユーザ受信器の搬送波追跡ループの積分周期内に行って、シグネチャーとシグネチャーとの間の測定更新が同時に更新されるようにするのが好ましい。時分割多重アクセス（ＴＤＭＡ）機構におけるドップラーシグネチャーのマルチプレクス受信は、デューティサイクルの減少により各ドップラーシグネチャーに対する受信相関電力を減少するが、変化するグループ遅延及びラインバイアスの潜在性を排除する。
【００６５】
差動ドップラーシグネチャーは、電子的に生成されたドップラーシグネチャー、及び上述した空間的ロックループ（ＳＬＬ）方法にも適用することができる。
【００６６】
差動ドップラーシグネチャーを使用する多経路の軽減
差動ドップラーシグネチャーは、異なる位置から同時に送信されて受信される複数のポジショニング信号より成る。それ故、送信されたポジショニング信号を受信するように構成されたユーザ受信器は、所与の時間に各ポジショニング信号において異なる多経路作用を経験する。複数のシグネチャーの受信信号強度電力は、送信アンテナから受信アンテナまでの距離が実質的に同じであるときには、多経路のない環境において実質的に同じである。各ポジショニング信号に対する健全なシグネチャー基準信号強度（ＳＲＳＳ）測定値は、シグネチャー周期にわたり各ポジショニング信号に対する受信信号強度電力レベルを平均化することにより決定できる。シグネチャー基準信号強度（ＳＲＳＳ）より所定量だけ下がるポジショニング信号の受信信号強度電力レベルは、多経路により悪影響を受けると考えられ、そしてそれらのドップラー電力測定値は、アンテナ同期制御手段の測定値から排除されるか、又はアンテナ同期制御手段へ適用される前に修正される。
【００６７】
複数のドップラーシグネチャーを受信するように構成された空間的シフトキー受信（ＳＳＫ−Ｒ）アンテナが、複数のドップラーシグネチャーを送信する空間的シフトキー送信（ＳＳＫ−Ｔ）アンテナと空間的に同期されたときには、各送信／受信対の個々の追跡値が実質的に同じになる。第１の受信アンテナが多経路フェードに入ると、それに関連した受信器の追跡ループドップラー値がフェードの激しさに基づいて乱される。しかしながら、同時に多経路フェードに存在しない第２の受信アンテナは、それに関連した受信器の追跡ループドップラー値を有し、これは正確なものである。この正確な追跡ループドップラー値は、第１受信器の追跡ループにより使用できるが、それ自身の値は乱れたものである。多経路フェードが第１の受信アンテナにより横断され、そして受信信号強度が回復すると、第１受信チャンネル追跡ループにより追跡ループ制御が再開される。それ故、本発明は、正確な追跡ループ値を、多経路の歪んだ追跡ループ値に置き換えて、多経路環境において高い追跡性能が達成されるのを許す。実際に、この方法は、各受信アンテナが多経路フェードに入ったり出たりするときに追跡ループ間で追跡値を取引するようなシステムを提供する。
【００６８】
更に、正しく追跡すると思われる個々の追跡ループから得られたドップラー値は、ユーザ受信器により累積されて、いわゆる複合積分搬送波位相（ＩＣＰ）測定値を生じさせることができる。この複合積分搬送波位相（ＩＣＰ）測定値は、激しい多経路の有害な影響がない「良好」なドップラー値のみを固有に累積し、それ故、本発明を使用しないシステムと比較したときに多経路環境においてより健全なレンジ決め方法を提供する。
【００６９】
単一の空間的シフトキー送信（ＳＳＫ−Ｔ）アンテナから決定される姿勢
差動ドップラーシグネチャーを受信するように構成されたユーザ受信器は、少なくとも１つの送信差動ドップラーシグネチャーを使用して姿勢を決定することができる。第１のドップラーシグネチャーと第２のドップラーシグネチャーとの差をとるプロセスは、ユーザ移動ドップラー及びユーザ受信器のクロックドリフトの両方を排除する。それ故、差の信号を使用して、正確な時間が得られなくてもアンテナの空間的同期を決定することができる。差動ドップラーポジショニング信号に変調されたタイムスタンプは、時間をマイクロ秒レベルで決定するのに充分であり、これは、１Ｈｚの回転率では、数千分の１度程度の向きエラーしか生じない。又、この方法は、空間的シフトキー（ＳＳＫ）及び静的ポジショニング信号の対に適用できると共に、上述した「早い・マイナス・遅い」追跡構成にも適用できる。同時の早い及び遅い追跡アームドップラー電力値の差をとるプロセスは、ユーザ移動及びユーザ受信器のクロックドリフトにより誘起される全てのドップラーを排除する。
【００７０】
複数の空間的シフトキー送信（ＳＳＫ−Ｔ）アンテナから決定される姿勢
本発明の先に開示した実施形態では、空間的シフトキー受信（ＳＳＫ−Ｒ）アンテナが単一の空間的シフトキー送信（ＳＳＫ−Ｔ）アンテナから姿勢を決定することができる。しかしながら、ある環境では、多経路及び不充分な受信信号強度により生じるエラーのために姿勢の決定が質低下し得る。それ故、本発明は、更に、受信したドップラーシグネチャーを、複数の空間的に分布された同一送信ドップラーシグネチャーと空間的に相関させることで受信器の姿勢を決定するシステム及び方法も開示する。複数の空間的に分布された送信器は、少なくとも１つのユニークなポジショニング信号を各々発生するように構成され、この信号は、空間的シフトキー送信（ＳＳＫ−Ｔ）アンテナを経て送信される。各空間的シフトキー送信（ＳＳＫ−Ｔ）アンテナは、全ての送信アンテナの位相中心が一緒に移動するように、同一の姿勢及び同一の予め定められた動きで構成される。ユニークな予め定められた動きが所定のインターバルで繰り返され、各送信ポジショニング信号に同一の所定のドップラーシグネチャーを誘起させる。受信器は、送信されたドップラー変更ポジショニング信号を、空間的シフトキー受信（ＳＳＫ−Ｒ）アンテナを経て受信するように構成され、このアンテナは、その位相中心を、全ての送信アンテナの位相中心と同じ予め定められた動きで移動させ且つ同じ所定のインターバルで繰り返す。それ故、空間的シフトキー受信（ＳＳＫ−Ｒ）アンテナは、既にドップラー変更されたポジショニング信号に第２のドップラー成分を誘起する。受信器内のアンテナ同期制御手段は、受信したポジショニング信号の測定ドップラーをゼロに向けて押しやることで空間的シフトキー送信（ＳＳＫ−Ｔ）ドップラーシグネチャーに一致させるように空間的シフトキー受信（ＳＳＫ−Ｒ）アンテナの予め定められた動きを連続的に調整する。受信したドップラーが最小になると、空間的シフトキー送信（ＳＳＫ−Ｔ）アンテナ及び空間的シフトキー受信（ＳＳＫ−Ｒ）アンテナは、一緒に移動して、空間的に移動される。これで、両アンテナを空間的相関へともっていくに必要なアンテナ同期制御手段のオフセットを測定することにより、空間的シフトキー受信（ＳＳＫ−Ｒ）アンテナの姿勢を、空間的シフトキー送信（ＳＳＫ−Ｔ）アンテナの姿勢に対して正確に決定することができる。
【００７１】
この方法を使用すると、アンテナ同期制御手段が、複数の同一の送信ドップラーシグネチャーを選択するので、多経路による姿勢エラーが著しく減少される。１つの受信ドップラーシグネチャーが多経路により悪影響を受けるときに、多経路により悪影響を受けない他の同一のドップラーシグネチャーがアンテナ同期制御手段に得られる。受信信号強度をシグネチャー基準信号強度（ＳＲＳＳ）と比較して、シグネチャーがフェード内にあるときを決定することができる。それ故、本発明は、本発明を使用しないシステムに比して、多経路の悪影響に対して健全な姿勢決定手段を提供する。
【００７２】
迅速な姿勢更新割合
本発明の先に開示した実施形態では、空間的シフトキー（ＳＳＫ）ドップラーシグネチャー繰返し周期は、ユーザ受信器に使用される搬送波追跡ループ帯域により制約を受ける。それ故、本発明の更に別の実施形態では、高速更新割合で受信器の姿勢を決定するシステム及び方法が開示される。このシステム及び方法は、受信器の搬送波追跡ループを使用してドップラーシグネチャー追跡を実行する必要なく作用する。
【００７３】
空間的シフトキー送信（ＳＳＫ−Ｔ）アンテナを経て送信されるポジショニング信号を発生するように構成された送信器は、その位相中心を、予め定められた迅速な動きで移動させ、好ましくは、このシグネチャー移動は、送信信号波長の１／４の半径内の体積に含まれる。この予め定められた動きは、所定のインターバルで繰り返され、従って、送信ポジショニング信号に所定の高い割合のドップラーシグネチャーを誘起する。送信ドップラーシグネチャーは、ユーザ受信器の位相測定周期より低速であるがユーザ受信器の搬送波追跡ループの更新割合より高速である周波数において変調される。
【００７４】
空間的シフトキー受信（ＳＳＫ−Ｒ）アンテナを経てドップラー変更ポジショニング信号を受信するように構成されたユーザ受信器は、空間的シフトキー送信（ＳＳＫ−Ｔ）アンテナと同じ所定のインターバルで繰り返される同じ迅速の予め定められた動きで移動する。それ故、この空間的シフトキー受信（ＳＳＫ−Ｒ）アンテナは、既にドップラー変更された送信ポジショニング信号に第２の高い割合のドップラー成分を誘起する。ユーザ受信器は、受信したポジショニング信号の搬送波位相測定値、好ましくは、同相及び直角位相（Ｉ＆Ｑ）測定値を、各相関積分周期に一度、測定し、そして搬送波追跡ループを、各シグネチャー周期に一回以下で更新するように構成される。シグネチャー周期にわたり測定された位相値が比較され、そしてシグネチャー周期に対するドップラー電力値が計算される。シグネチャー周期に対するこの計算されたドップラー電力は、次いで、上述したように、空間的シフトキー受信（ＳＳＫ−Ｒ）アンテナの姿勢を追跡するための測定値として使用される。同相及び直角位相（Ｉ＆Ｑ）測定技術、ユーザ受信器の相関積分技術は、この分野で良く知られたもので、本発明の要旨ではない。
【００７５】
ここに示す例として、再び図４を参照すれば、円形構成で装着された送信アンテナ素子４０３−１乃至４０３−８のアレーを備えた空間的シフトキー送信（ＳＳＫ−Ｔ）アンテナ４０２が示されている。各アンテナ素子は、各々、１ミリ秒の周期で次々にアクチベートされ、位相中心が８ミリ秒ごとにアレーをめぐって進むようにする。それ故、この位相中心の移動は、１２５Ｈｚの周波数の送信ポジショニング信号にドップラーシグネチャーを誘起する。ユーザ受信器４０７は、空間的シフトキー受信（ＳＳＫ−Ｒ）アンテナ４０８と共に構成され、このアンテナは、送信アンテナ素子４０３−１乃至４０３−８のアレーと同じ半径の円形パターンで装着された受信アンテナ素子４０９−１乃至４０９−８のアレーで構成される。各アンテナ素子４０９−１乃至４０９−８は、各々、１ミリ秒の周期で次々にアクチベートされ、位相中心が８ミリ秒ごとにアレーをめぐって進むようにする。それ故、この位相中心の移動は、１２５Ｈｚのドップラーシグネチャー周波数の受信ポジショニング信号に更に別のドップラーシグネチャーを誘起する。ユーザ受信器搬送波追跡ループの積分周期は、１ミリ秒にセットされ、従って、同相及び直角位相（Ｉ＆Ｑ）の位相値がミリ秒ごとに発生される。追跡ループは、各ドップラーシグネチャー周期の完了後に（８ミリ秒ごとに）更新するように構成され、従って、搬送波追跡ループデジタル制御発振器（ＤＣＯ）の値は、シグネチャー周期中に実質的に一定に保たれる。８個の同相及び直角位相（Ｉ＆Ｑ）の位相値が、一定の搬送波追跡ループデジタル制御発振器（ＤＣＯ）の値に対して測定され、これは、空間的シフトキー受信（ＳＳＫ−Ｒ）アンテナ４０８の各受信アンテナ素子４０９−１乃至４０９−８から受け取られた位相に対応する。これら８個の同相及び直角位相（Ｉ＆Ｑ）の位相値がその後に互いに比較されて、８個のドップラー測定値を導出する。これら８個のドップラー測定値を総計して、シグネチャー周期に対する合成ドップラー電力値を計算する。これは、８個のドップラー測定に対する次に計算のいずれかにより数学的に表わすことができる。（ａ）平方の加算、（ｂ）二乗平均（ＲＭＳ）、（ｃ）絶対値の平均、（ｄ）絶対値の和、又は同様の数学的演算。次いで、シグネチャー周期にわたり決定された合成ドップラー電力を使用して、上述したように、空間的シフトキー受信（ＳＳＫ−Ｒ）アンテナ４０８の姿勢を追跡する。このプロセスは、シグネチャー周期ごとに更新され続ける。
【００７６】
シグネチャー周期ドップラー電力は、測定された同相及び直角位相（Ｉ＆Ｑ）の位相値から多数の仕方で計算することができる。ドップラー電力を決定するための最も簡単で且つ最新のプロセッサ集中解決策は、隣接する受信アンテナ素子の対からの位相測定値の差をとってスイッチング周期で分割し、個々のドップラー測定値を決定することである。これらのドップラー測定値は、次いで、シグネチャー周期にわたる複合ドップラー電力を決定するように合成される。隣接する受信アンテナ素子の同相及び直角位相（Ｉ＆Ｑ）の位相値の差をとって、アンテナ素子間の位相変化を決定する。これらの位相差は、既知の時間周期（アンテナスイッチング周期）にわたるレンジ変化を表わし、それ故、ドップラーの尺度を与える。シグネチャー周期にわたって収集された個々の測定されたドップラー値は、ＲＭＳドップラー電力値等の複合値に変換されるのが好ましく、これは、空間的シフトキー受信（ＳＳＫ−Ｒ）アンテナの姿勢の決定に使用される。
【００７７】
瞬間的な同相及び直角位相（Ｉ＆Ｑ）の位相値は、本来、ノイズ性の測定値である。それ故、本発明の更に別の実施形態では、各受信アンテナ素子からの同相及び直角位相（Ｉ＆Ｑ）の位相値が複数のシグネチャー周期にわたりコヒレントに積分され、その後、高精度のドップラー測定値を決定するのに使用される。再び図４を参照すれば、各８ミリ秒のシグネチャー周期の始めに、第１の受信アンテナ素子４０９−１が１ミリ秒間アクチベートされる。第１のシグネチャー周期の第１の同相及び直角位相（Ｉ＆Ｑ）サンプルは、第２のシグネチャー周期からの第１の同相及び直角位相（Ｉ＆Ｑ）サンプルと共に累積され、これは、第３のシグネチャー周期の第１の同相及び直角位相（Ｉ＆Ｑ）サンプルと共に累積され、等々となる。これらの累積は、各々の受信アンテナ素子４０９−１乃至４０９−８について実行され、従って、所定数のシグネチャー周期の終わりに、改善された低ノイズの同相及び直角位相（Ｉ＆Ｑ）の位相値が正確なドップラー決定のために得られる。ユーザ受信器４０７内の搬送波追跡ループデジタル制御発振器（ＤＣＯ）が各シグネチャー周期の後に更新された場合には、以前のシグネチャー周期からの同相及び直角位相（Ｉ＆Ｑ）の値と共に累積される前に各同相及び直角位相（Ｉ＆Ｑ）の値に修正値を適用することが必要となる。この修正値は、シグネチャー周期とシグネチャー周期との間にデジタル制御発振器（ＤＣＯ）の変化する周波数により生じる位相変化を考慮するものである。又、コヒレントな積分周期中に生じるデータビットも考慮する必要がある。
【００７８】
本発明の更に別の実施形態では、隣接するアンテナ素子間で測定される位相差は、複数のシグネチャー周期にわたりコヒレントに積分され、デジタル制御発振器（ＤＣＯ）の周波数の変化、又はデータビットの変化が、累積測定値に悪影響を及ぼさないようにする。再び図４を参照すれば、第１の受信アンテナ素子４０９−１が１ミリ秒間アクチベートされ、そして第１の同相及び直角位相（Ｉ＆Ｑ）の位相値がメモリに記憶される。その後、第２の受信アンテナ素子４０９−２が１ミリ秒間アクチベートされ、そして第２の同相及び直角位相（Ｉ＆Ｑ）の位相値がメモリに記憶される。第１の記憶された同相及び直角位相（Ｉ＆Ｑ）の位相値と第２の記憶された同相及び直角位相（Ｉ＆Ｑ）の位相値との差がとられ、第１と第２のアンテナ素子４０９−１と４０９−２との間の位相変化が決定される。この差の測定値がメモリに記憶されて、その後のシグネチャー周期の同じ２つのアンテナ素子４０９−１及び４０９−２からの差の測定値と共に累積される。この手順がアレー内の他の全ての隣接素子にも適用される。例えば、第２のアンテナ素子４０９−２と第３のアンテナ素子４０９−３との差がとられ、第３のアンテナ素子４０９−３と第４のアンテナ素子４０９−４との差がとられ、等々となる。差の測定値を累積することで、デジタル制御発振器（ＤＣＯ）の周波数変化又はデータビットの位相変化のために累積した同相及び直角位相（Ｉ＆Ｑ）の位相値に修正を加える必要性が排除される。しかしながら、デジタル制御発振器（ＤＣＯ）の各周波数更新ポイント及び各データビット遷移における境界条件を考慮するのが好ましい。
【００７９】
又、上述した迅速なドップラーシグネチャー方法は、ユーザの環境に基づいて姿勢更新割合を動的に指定する能力をユーザに与える。例えば、ユーザが高速姿勢更新を要求し、そして低い測定精度を許容できる場合には、ユーザ受信器４０７は、単一シグネチャー姿勢更新を与えるように構成することができる。ユーザが高い精度の姿勢を要求し、そして低い姿勢更新割合を許容できる場合には、ユーザ受信器４０７は、複数のシグネチャー周期にわたって姿勢更新を与えるように構成することができる。
【００８０】
それ故、本発明は、空間的シフトキー（ＳＳＫ）シグネチャーが従来の搬送波追跡ループ技術により追跡もされないし制約も受けず、むしろ、各ドップラーシグネチャー周期にわたりユーザ受信器により測定された瞬時位相値からそれを導出するような方法を開示する。
【００８１】
ドップラーシグネチャーのパターン認識を使用した姿勢の決定
本発明の更に別の実施形態では、上述したアンテナ同期制御手段が、姿勢を決定するためのパターン認識アルゴリズムに置き換えられる。ドップラーシグネチャーが発生されて、空間的シフトキー送信（ＳＳＫ−Ｔ）アンテナを経て送信され、そして受信器は、上述したように、空間的シフトキー受信（ＳＳＫ−Ｒ）アンテナと共に構成される。空間的シフトキー受信（ＳＳＫ−Ｒ）アンテナは、その所定のドップラーシグネチャーを固定の向きで発生する。即ち、空間的シフトキー受信（ＳＳＫ−Ｒ）アンテナの位相中心は、各エポックの頂部でその主軸を横断し、そして送信ドップラーシグネチャーと空間的に相関するように試みない。空間的シフトキー受信（ＳＳＫ−Ｒ）アンテナの異なる向きがシグネチャー周期にわたり異なるドップラーパターンを発生する。これらのドップラーパターンは、特定の空間的シフトキー受信（ＳＳＫ−Ｒ）アンテナの向きに関連した所定のドップラーパターンと比較され、一致される。これら所定のドップラーパターンは、好ましくは、ユーザ受信器のメモリに記憶され、従って、識別されたドップラーパターンから向きが直接決定される。ユーザ移動ドップラーは、上述した技術の１つを使用して除去することができる。それ故、本発明は、空間的シフトキー（ＳＳＫ）変調信号のパターン認識を使用して姿勢を決定することを開示する。
【００８２】
三次元ドップラーシグネチャー
又、本発明は、三次元ドップラーシグネチャーを使用して三次元姿勢決定を行うシステム及び方法も開示する。三次元ドップラーシグネチャーは、三次元空間において放射手段を移動させる空間的シフトキー送信（ＳＳＫ−Ｔ）アンテナを使用して発生される。三次元移動は、空間的シフトキー送信（ＳＳＫ−Ｔ）アンテナにおいて、球や四面体のような三次元形状にアンテナ素子を分布させ、そしてそれら素子間を次々に切り換えて三次元ドップラーシグネチャーを発生することにより、達成することができる。好ましい実施形態では、４つのアンテナ素子を使用して三次元ドップラーシグネチャーを発生するが、いかなる数のアンテナ素子を使用して三次元ドップラーシグネチャーを発生することも、本発明の広い範囲内に包含される。
【００８３】
位相中心のパン
アンテナの位相中心の電子的な移動は、上述したように、アンテナ素子を所定の構成で空間的に分布させ、そしてそれら素子を次々に切り換えて、同期された位相中心の移動を形成することにより達成できる。しかしながら、この方法の分解能は、使用できるアンテナ素子の数により制限され、付加的なアンテナ素子を使用すると、複雑さ及びコストが増すことになる。更に、アンテナ素子の分離を減少したときに相互結合の増加により生じる潜在的な性能低下も顕著である。
【００８４】
本発明は、著しい数のアンテナ素子を必要とせずに、高分解能の合成位相中心の移動を発生する方法及び装置を開示する。互いに１／４波長以内に空間的に分布された複数のアンテナ素子は、高周波（ＲＦ）デジタル減衰器のような個々の可変利得区分に各々接続される。マイクロプロセッサのような制御手段は、各可変利得区分からの利得のレベルを制御して、各アンテナ素子の利得を個々に変更できるように構成される。アンテナアレーのアンテナ素子間の利得分布を変更すると、アレーの位相中心をシフトするという作用を及ぼす。従って、アンテナ素子間に利得が再分布されると、アレーの位相中心が変位され、そして同期したドップラーが信号に誘起される。従って、位相中心のシフトの分解能は、可変利得区分の分解能により決定され、アンテナ素子の物理的変位に対する要求により制約されない。
【００８５】
それ故、本発明は、最少のアンテナ素子で高分解能の合成位相中心の移動を形成する方法及び装置を開示する。この技術は、位相中心の「パン(panning)」と称される。位相中心のパンは、可逆であり、即ち送信アレー又は受信アレーにおいてアンテナ素子間の利得分布を変えると、同じ合成ドップラー効果が信号に誘起される。連続した所定のやり方でアンテナ素子間の利得分布を変えることにより、連続的な所定の位相中心の移動が発生され、これは、観察する搬送波−位相ユーザ受信器によりサイクリックなドップラーシフトとして測定される。従って、この技術は、本発明の空間的シフトキー（ＳＳＫ）変調のシステム及び方法に適用することができる。
【００８６】
図９には、放送信号周波数の１／４波長９０３で分離された２つの同じ長さの空間的に分布されたアンテナ素子９０１及び９０２を組み込んだ電子的位相中心パンアレーが示されている。各被駆動アンテナ素子９０１及び９０２は、デジタル減衰器又は可変利得増幅器のような可変利得手段９０４及び９０５と共に構成される。各可変利得手段９０４及び９０５は、マイクロプロセッサのような制御手段９０６と共に構成され、これは、個々の可変利得手段９０４及び９０５を利得調整し、そしてその後に個々のアンテナ素子９０１及び９０２を利得調整するのを許す。
【００８７】
各アンテナ素子９０１及び９０２は、その各々の可変利得手段９０４及び９０５を経て共通の送信ソース９０７に接続される。送信ソース９０７と第１の被駆動アンテナ素子９０１との間、及び送信ソース９０７と第２の被駆動アンテナ素子９０２との間の送信ラインは、両方とも、２つの送信回路内に位相関係を維持するために等しい長さである。マイクロプロセッサ９０６が同一利得コマンドをデジタル減衰器９０４及び９０５に発生すると、両アンテナ素子９０１及び９０２が共通の送信ソース９０７からの等しいエネルギーを放射する。アンテナ素子間の相互結合を無視すると、位相中心のパンアレーを構成する被駆動素子９０１及び９０２の放射パターンは、楕円形となり、そのエンドファイア(end-fire)電力は、これらの方向における９０度の信号位相打消しのために約３ｄＢ減少される。両アンテナ素子９０１及び９０２からの等しい放射は、アンテナアレーの位相中心を、２つの素子９０１及び９０２の受信信号強度電力間の中間９０８に配する。受信信号強度電力制御手段９０６が第１デジタル減衰器９０４に最大利得コマンドを、そして第２デジタル減衰器９０５に最小利得コマンドを発生すると、第１アンテナ素子９０１が最大エネルギーを放射し、そして第２アンテナ素子９０２が最小エネルギーを放射する。これで、アンテナアレーの位相中心９０９は、第１アンテナ位置９０１に実質的に位置され、全方向パターンで放射する。逆に、制御手段９０６が第２デジタル減衰器９０５に最大利得コマンドを、そして第１デジタル減衰器９０４に最小利得コマンドを発生すると、第２アンテナ素子９０２が最大エネルギーを放射し、そして第１アンテナ素子９０１が最小エネルギーを放射する。これで、アンテナアレーの位相中心９１０は、第２アンテナ位置９０２に実質的に位置され、全方向パターンで放射する。それ故、利得がアンテナ素子に増分的に逆に適用されるときには、アレーの有効な位相中心が素子と素子との間に移動され、即ち「パン」される。例えば、制御手段９０６が第１デジタル減衰器９０４に１／４減衰コマンドを、そして第２デジタル減衰器９０５に３／４減衰コマンドを発生すると、第１アンテナ素子９０１がその最大エネルギーの３／４を放射し、そして第２アンテナ素子９０２がその最大エネルギーの１／４を放射する。これで、アンテナアレー９１１の位相中心は、アンテナ素子とアンテナ素子との間で第１アンテナ位置９０１から放送周波数波長の１／１６離れたところに位置され、実質的に全方向パターンで放射する。このように、１／４波長分布のアンテナ素子間に逆に適用される増分利得は、アンテナ素子とアンテナ素子との間に実質的に直線的な位相中心の移動を与え、本発明の電子的位相中心パンアレーの基礎をなす。
【００８８】
電子的位相中心パンアレーの好ましい実施形態では、アンテナ素子が四面体のような三次元形状に配置され、三次元の空間的シフトキー（ＳＳＫ）変調を発生することができる。電子的位相中心パンアレーは、固定のドップラーパターンしか発生できない固定アンテナ素子により課せられる制約を除去する。それ故、本発明の好ましい実施形態は、三次元の幾何学的形状を空間的シフトキー（ＳＳＫ）シグネチャーとして発生するのを許す。
【００８９】
図１０には、互いに１／４波長以内に空間的に分布されそして四面体形状に配置された４つの送信アンテナ素子１００２、１００３、１００４及び１００５を組み込んだ三次元パン型空間的シフトキー送信（ＳＳＫ−Ｔ）アンテナ１００１が示されている。各送信アンテナ素子１００２、１００３、１００４及び１００５は、全方向利得パターンで送信するように構成される。ここに示す例では、直角位相で供給される交差ダイポールアンテナ素子は、実質的に全方向性の利得パターンを発生する。各送信アンテナ素子１００２、１００３、１００４及び１００５は、デジタル減衰器１００６、１００７、１００８及び１００９のような可変利得手段に接続され、これは、共通の送信ソース１０１０に接続される。又、各可変利得手段１００６、１００７、１００８及び１００９は、マイクロプロセッサ１０１１のような制御手段にも接続され、各送信アンテナ素子１００２、１００３、１００４及び１００５の利得を個々に調整することができる。送信ソース１０１０からのエネルギーが、可変利得手段１００６、１００７、１００８及び１００９を調整する制御手段１０１１により、送信アンテナ素子１００２、１００３、１００４及び１００５間に再分布されたときに、アレーの位相中心が変位され、そして合成された三次元ドップラーシグネチャー１０１２が送信信号１０１３に誘起される。この三次元位相中心の移動は、アンテナ素子１００２、１００３、１００４及び１００５の位置により描かれる四面体内のいかなるパターンに構成することもできる。それ故、無限数の空間的シフトキー（ＳＳＫ）シグネチャーが考えられる。ここに示す例では、制御手段１０１１は、３つの相互に垂直な平面内で円運動を描く位相中心の移動を生じさせ、ひいては、ｘ、ｙ及びｚの３つの軸においてドップラーシグネチャー１０１２を生じさせるように構成できる。しかしながら、アンテナ位相中心の他の移動パターンも、本発明の広い範囲内に包含される。
【００９０】
又、互いに１／４波長以内に空間的に分布されそして四面体形状に配置された４つの受信アンテナ素子１０１５、１０１６、１０１７及び１０１８を組み込んだ三次元パン型空間的シフトキー受信（ＳＳＫ−Ｒ）アンテナ１０１４が示されている。各アンテナ素子１０１５、１０１６、１０１７及び１０１８は、全方向利得パターンで送信するように構成される。各受信アンテナ素子１０１５、１０１６、１０１７及び１０１８は、ユーザ受信器１０２３に接続されたデジタル減衰器１０１９、１０２０、１０２１及び１０２２のような可変利得手段に接続される。各可変利得手段１０１９、１０２０、１０２１及び１０２２は、マイクロプロセッサ１０２４のような制御手段にも接続され、各受信アンテナ素子１０１５、１０１６、１０１７及び１０１８の利得を個々に調整できるようにする。送信信号１０１３からのエネルギーが、可変利得手段１０１９、１０２０、１０２１及び１０２２を調整する制御手段１０２４により受信アンテナ素子１０１５、１０１６、１０１７及び１０１８間に再分布されたときに、アレーの位相中心が変位され、そして合成三次元ドップラーシグネチャー１０２５が受信信号に誘起される。制御手段１０２４は、送信ドップラーシグネチャー１０１２の三次元位相中心の移動を複写し、その後、受信ドップラーを最小値へ押しやる。ここに示す例では、制御手段１０２４は、送信ドップラーシグネチャー１０１２と同様に、３つの相互に垂直な平面内の円運動を描く位相中心の移動を生じさせ、ひいては、ｘ、ｙ及びｚの３つの軸におけるドップラーシグネチャー１０２５を生じさせるように構成される。各軸に対してドップラー電力が測定され、そしてここに述べる方法を使用して三次元姿勢が決定される。
【００９１】
本発明の更に別の実施形態では、パン型空間的シフトキー（ＳＳＫ）送信及び受信アレーを、１／４波長より大きな全体的寸法で構成することができる。アンテナ素子制御手段は、互いに１／４波長以内に空間的に分布されたアンテナ素子間のみで位相中心のパンが行われるように構成される。１／４波長より更に離れて空間的に分布されたアンテナ素子は、パンプロセスから除外される。ここに示す例では、アンテナ素子は、次々のアンテナ素子間に１／４波長間隔をもつ円構成で位置される。次々のアンテナ素子の対間でパンを行うことにより高分解能の空間的変調が達成される。
【００９２】
ユニークなポジショニング信号
本発明の好ましい実施形態では、各送信器は、搬送波成分、擬似ランダムコード成分及びナビゲーションデータ成分より成るユニークなポジショニング信号を送信する。搬送波成分は、好ましくは２．４ＧＨｚのＩＳＭ帯域で送信される正弦波の高周波波形であるが、本発明の方法は、他の周波数帯域にも等しく適用できる。擬似ランダム番号（ＰＲＮ）コード成分は、搬送波成分に変調され、そして他の装置により同じ搬送波周波数で送信される他の擬似ランダムコードシーケンスの中で区別できるユニークなコードシーケンスで構成される。この技術は、コード分割多重アクセス（ＣＤＭＡ）として知られ、この分野で良く知られている。ナビゲーションデータ成分は、擬似ランダムコード成分に変調された独占的情報であり、ユーザ受信器に時間及び他の送信器又はネットワーク特有の情報を転送するための通信リンクを与える。
【００９３】
以上、本発明の実施形態を一例として説明したが、当業者に明らかとなるこのような及び他の変更や修正は、全て、本発明の広い範囲内に包含されることが明らかであろう。
【図面の簡単な説明】
【００９４】
【図１】空間的に変調された信号を空間的シフトキー受信（ＳＳＫ−Ｒ）アンテナへ送信する空間的シフトキー送信（ＳＳＫ−Ｔ）アンテナを組み込んだ本発明による空間的シフトキー（ＳＳＫ）変調システムの簡単な機械的実施形態を示す図である。
【図２】空間的シフトキー受信（ＳＳＫ−Ｒ）アンテナ素子が空間的シフトキー送信（ＳＳＫ−Ｔ）アンテナ素子（１Ｈｚ）よりも若干高い周波数（１．１Ｈｚ）で回転されて、受信アンテナ素子が送信アンテナ素子と整列したり整列ずれしたりするよう回される図１に示す本発明の簡単な機械的実施形態のドップラー対時間グラフである。
【図３】測定されたドップラーが各回転（シグネチャー）周期にわたって合成されそしてドップラー電力値へ変換されるような図２に示すプロセスのドップラー電力対時間のグラフ。
【図４】空間的に変調された信号を空間的シフトキー受信（ＳＳＫ−Ｒ）アンテナへ送信する空間的シフトキー送信（ＳＳＫ−Ｔ）アンテナを組み込んだ本発明による空間的シフトキー（ＳＳＫ）変調システムの簡単な電子的に切り換えられる実施形態を示す図である。
【図５】信号強度測定に著しい多経路フェードが現われる図２及び３に示す簡単な機械的実施形態の信号強度対時間グラフであると共にシグネチャー基準信号強度（ＳＲＳＳ）対時間グラフである。
【図６】空間的シフトキー送信（ＳＳＫ−Ｔ）アンテナを追跡する空間的シフトキー受信（ＳＳＫ−Ｒ）アンテナのドップラー自己相関応答関数（ドップラー電力対角度オフセット）グラフである。
【図７】空間的シフトキー受信（ＳＳＫ−Ｒ）アンテナが、互いに角度的にオフセットした早い、迅速な及び遅い追跡アームを組み込むような本発明による次々のいわゆる空間的ロックループ（ＳＬＬ）を示す図である。
【図８】一対の受信アンテナ素子を組み込んだ空間的シフトキー受信（ＳＳＫ−Ｒ）アンテナへ一対の空間的に変調された信号を送信する空間的シフトキー送信（ＳＳＫ−Ｔ）アンテナを組み込んだ本発明による空間的シフトキー（ＳＳＫ）変調システムの簡単な差動の機械的実施形態を示す図である。
【図９】２つの空間的に分布されたアンテナ素子、送信ソース、２つの可変利得手段、及び制御手段を組み込んだ本発明による電子的パン型アレーを示す図である。
【図１０】本発明による三次元パン型空間的シフトキー送信（ＳＳＫ−Ｔ）アンテナ及びそれに一致する三次元パン型空間的シフトキー受信（ＳＳＫ−Ｒ）アンテナを示す図で、各空間的シフトキー（ＳＳＫ）アンテナが、互いに１／４波長内に空間的に分布されて四面体形状に配置された４つのアンテナ素子を組み込むところを示す図である。
【図１】
2007501382.tif 000003
【図２】
2007501382.tif 000004
【図３】
2007501382.tif 000005
【図４】
2007501382.tif 000006
【図５】
2007501382.tif 000007
【図６】
2007501382.tif 000008
【図７】
2007501382.tif 000009
【図８】
2007501382.tif 000010
【図９】
2007501382.tif 000011
【図１０】
2007501382.tif 000012
【国際調査報告】
2007501382.tif 000013
2007501382.tif 000014
2007501382.tif 000015
2007501382.tif 000016